(57)【要約】送信ダイバーシティおよび受信ダイバーシティの両方をサポートするトランシーバにおいて送信機（Ｔｘ）が受信機（Ｒｘ）から独立してアンテナ選択を実行できるようにするための方法および装置が提供される。特定の態様は、ＲｘがＴｘと同じアンテナ、別のアンテナ、あるいは、エンハンスド受信ダイバーシティのために両方のアンテナ上で動作する能力を維持するように、並列構成または交差構成で使用されうる交差スイッチを利用し、独立アンテナ選択を提供しうる。さらに、特定の態様は、交差スイッチの構成を変更することによって引き起こされるＲｘ内のスイッチンググリッチを回避、あるいは少なくとも減らすために、ベースバンドドメインで追加のスイッチングを用いうる。この方法で、Ｒｘは、アンテナスイッチングに応じて再度収束される必要はない。
2013513345.tif 000002
【特許請求の範囲】
【請求項１】
ワイヤレス通信のための方法であって、
送信パスと接続するために１または複数のアンテナの第１および第２のセットのうちの１つ目のセットを選択することと、ここにおいて、前記第１および第２のセットは、受信ダイバーシティおよびアンテナスイッチ送信ダイバーシティの両方に対して選択可能である、
前記アンテナの第１および第２のセットのうちの前記１つ目のセット内の少なくとも１つの第１のアンテナを介して第１の信号を送信することと、
第１の受信パスと接続するために前記アンテナの第１および第２のセットのうちの２つ目のセットを選択することと、ここにおいて、前記アンテナの第１および第２のセットのうちのもう一方のセットは第２の受信パスに接続される、
前記アンテナのセットのうちの前記選択された２つ目のセット内の少なくとも１つの第２のアンテナを介して前記第１の受信パスで第２の信号を受信することと、
前記アンテナのセットのうちのもう一方のセット内の少なくとも１つの第３のアンテナを介して前記第２の受信パスで第３の信号を受信することと
を備える方法。
【請求項２】
前記アンテナのセットのうちの前記１つ目のセットは、前記アンテナのセットのうちの前記２つ目のセットと同じであり、前記アンテナのセットのうちのもう一方のセットとは異なる、
請求項１に記載の方法。
【請求項３】
前記少なくとも１つの第１のアンテナは、前記少なくとも１つの第２のアンテナと同じである、
請求項２に記載の方法。
【請求項４】
前記アンテナのセットのうちの前記１つ目のセットは、前記アンテナのセットのうちのもう一方のセットと同じであり、前記アンテナのセットのうちの前記２つ目のセットとは異なる、
請求項１に記載の方法。
【請求項５】
前記少なくとも１つの第１のアンテナは、前記少なくとも１つの第３のアンテナとは異なる、
請求項１に記載の方法。
【請求項６】
前記アンテナのセットのうちの前記２つ目のセットを選択することは、交差スイッチの構成から選択することを備え、前記構成は、並列構成と交差構成とを備える、
請求項１に記載の方法。
【請求項７】
前記並列構成において、前記交差スイッチは、前記アンテナの第１のセットを前記第１の受信パスと接続し、前記アンテナの第２のセットを前記第２の受信パスと接続する、
請求項６に記載の方法。
【請求項８】
前記並列構成において、前記交差スイッチは、前記アンテナの第１のセットを前記送信パスと接続する、
請求項７に記載の方法。
【請求項９】
前記第２の信号を受信することは、前記送信パスと前記交差スイッチとの間に結合されたデュプレクサを介して前記第１の受信パスで前記第２の信号を受信することを備える、
請求項８に記載の方法。
【請求項１０】
前記交差構成において、前記交差スイッチは、前記アンテナの第２のセットを前記第１の受信パスと接続し、前記アンテナの第１のセットを前記第２の受信パスと接続する、
請求項６に記載の方法。
【請求項１１】
前記少なくとも１つの第２のアンテナからの信号を受信および処理するように前記第１の受信パスを動作することと、ここにおいて、前記第２の受信パスは非アクティブ化される、
前記非アクティブ化された第２の受信パスをアクティブ化することと、
前記少なくとも１つの第２のアンテナを介して前記第１の受信パスで受信された信号に基づいて少なくとも１つの第１のメトリックを決定し、前記少なくとも１つの第３のアンテナを介して前記アクティブ化された第２の受信パスで受信された信号に基づいて少なくとも１つの第２のメトリックを決定することと、
前記第２のメトリックが前記第１のメトリックよりも良い場合、前記第１の受信パスを非アクティブ化し、前記少なくとも１つの第３のアンテナから受信された前記信号を処理するように前記第２の受信パスを動作することと、
前記第２のメトリックが前記第１のメトリックよりも良くない場合、前記第２の受信パスを非アクティブ化することと
をさらに備える、請求項１に記載の方法。
【請求項１２】
前記第２のメトリックを決定することが、
第４のアンテナから受信された前記信号に基づいて前記第２のメトリックを決定することと、
第５のアンテナから受信された前記信号に基づいて前記第２のメトリックを決定することと、
前記第４および前記第５のアンテナから受信された前記信号の組み合わせに基づいて前記第２のメトリックを決定することと
のうちの少なくとも１つを備えるように、前記少なくとも１つの第２のアンテナは、前記第４のアンテナおよび前記第５のアンテナを備える、
請求項１１に記載の方法。
【請求項１３】
前記第２の受信パスを動作することは、前記第１の受信パスを動作することと前記第２の受信パスを動作することとの間に受信不連続性なく、前記第２の受信パスで受信された前記信号を処理することを備える、
請求項１１に記載の方法。
【請求項１４】
前記非アクティブ化された第２の受信パスをアクティブ化することは、前記第１の受信パスを動作する間に前記非アクティブ化された第２の受信パスをアクティブ化することを備える、
請求項１１に記載の方法。
【請求項１５】
前記第１の受信パスで前記第２の信号を受信した後に、前記第２の受信パスと接続するために前記アンテナのセットのうちの前記２つ目のセットを選択することと、
前記アンテナのセットのうちの前記選択された２つ目のセットを介して前記第２の受信パスで第４の信号を受信することと、
前記第２の受信パスで前記第４の信号をデジタル化した後に、前記デジタル化された第４の信号が前記第１の受信パスのベースベンド部分で処理されるようにベースバンドスイッチングを実行することと
をさらに備える、請求項１に記載の方法。
【請求項１６】
前記第１の受信パスの前記ベースバンド部分は、前記ベースバンドスイッチングを実行する前に収束される、
請求項１５に記載の方法。
【請求項１７】
ワイヤレス通信のための装置であって、
送信パスと接続するために１または複数のアンテナの第１および第２のセットのうちの１つ目のセットを選択するように構成された少なくとも１つのプロセッサと、ここにおいて、前記第１および第２のセットは、受信ダイバーシティおよびアンテナスイッチ送信ダイバーシティの両方に対して選択可能である、
前記アンテナの第１および第２のセットのうちの前記１つ目のセット内の少なくとも１つの第１のアンテナを介して第１の信号を送信するように構成された送信機と、ここにおいて、前記少なくとも１つのプロセッサは、第１の受信パスと接続するために前記アンテナの第１および第２のセットのうちの２つ目のセットを選択するように構成され、前記アンテナの第１および第２のセットのうちのもう一方のセットは第２の受信パスと接続される、
前記アンテナのセットのうちの前記選択された２つ目のセット内の少なくとも１つの第２のアンテナを介して前記第１の受信パスで第２の信号を受信し、前記アンテナのセットのうちのもう一方のセット内の少なくとも１つの第３のアンテナを介して前記第２の受信パスで第３の信号を受信するように構成された受信機と
を備える装置。
【請求項１８】
前記アンテナのセットのうちの前記１つ目のセットは、前記アンテナのセットのうちの前記２つ目のセットと同じであり、前記アンテナのセットのうちのもう一方のセットとは異なる、
請求項１７に記載の装置。
【請求項１９】
前記少なくとも１つの第１のアンテナは、前記少なくとも１つの第２のアンテナと同じである、
請求項１８に記載の装置。
【請求項２０】
前記アンテナのセットのうちの前記１つ目のセットは、前記アンテナのセットのうちのもう一方のセットと同じであり、前記アンテナセットのうちの前記２つ目のセットとは異なる、
請求項１７に記載の装置。
【請求項２１】
前記少なくとも１つの第１のアンテナは、前記少なくとも１つの第３のアンテナとは異なる、
請求項１７に記載の装置。
【請求項２２】
前記少なくとも１つのプロセッサは、交差スイッチの構成から選択することによって、前記アンテナのセットのうちの前記２つ目のセットを選択するように構成され、前記構成は、並列構成と交差構成とを備える、
請求項１７に記載の装置。
【請求項２３】
前記並列構成において、前記交差スイッチは、前記アンテナの第１のセットを前記第１の受信パスと接続し、前記アンテナの第２のセットを前記第２の受信パスと接続する、
請求項２２に記載の装置。
【請求項２４】
前記並列構成において、前記交差スイッチは、前記アンテナの第１のセットを前記送信パスと接続する、
請求項２３に記載の装置。
【請求項２５】
前記受信機は、前記送信パスと前記交差スイッチとの間に結合されたデュプレクサを介して前記第１の受信パスで前記第２の信号を受信することによって前記第２の信号を受信するように構成される、
請求項２４に記載の装置。
【請求項２６】
前記交差構成において、前記交差スイッチは、前記アンテナの第２のセットを前記第１の受信パスと接続し、前記アンテナの第２のセットを前記第２の受信パスと接続する、
請求項２２に記載の装置。
【請求項２７】
前記少なくとも１つのプロセッサは、
前記少なくとも１つの第２のアンテナからの信号を受信および処理するように前記第１の受信パスを動作し、ここにおいて、前記第２の受信パスは非アクティブ化される、
前記非アクティブ化された第２の受信パスをアクティブ化し、
前記少なくとも１つの第２のアンテナを介して前記第１の受信パスで受信された信号に基づいて少なくとも１つの第１のメトリックを決定し、前記少なくとも１つの第３のアンテナを介して前記アクティブ化された第２の受信パスで受信された信号に基づいて少なくとも１つの第２のメトリックを決定し、
前記第２のメトリックが前記第１のメトリックよりも良い場合、前記第１の受信パスを非アクティブ化し、前記少なくとも１つの第３のアンテナから受信された前記信号を処理するように前記第２の受信パスを動作し、
前記第２のメトリックが前記第１のメトリックよりも良くない場合、前記第２の受信パスを非アクティブ化する
ように構成される、請求項１７に記載の装置。
【請求項２８】
前記少なくとも１つのプロセッサが、
第４のアンテナから受信された前記信号に基づいて前記第２のメトリックを決定することと、
第５のアンテナから受信された前記信号に基づいて前記第２のメトリックを決定することと、
前記第４および前記第５のアンテナから受信された前記信号の組み合わせに基づいて前記第２のメトリックを決定することと
のうちの少なくとも１つによって前記第２のメトリックを決定するように構成されるように、少なくとも１つの第２のアンテナは、前記第４のアンテナおよび前記第５のアンテナを備える、
請求項２７に記載の装置。
【請求項２９】
前記少なくとも１つのプロセッサは、前記第１の受信パスを動作することと前記第２の受信パスを動作することとの間に受信不連続性なく、前記第２の受信パスで受信された前記信号を処理することによって前記第２の受信パスを動作するように構成される、
請求項２７に記載の装置。
【請求項３０】
前記少なくとも１つのプロセッサは、前記第１の受信パスを動作する間に前記非アクティブ化された第２の受信パスをアクティブ化することによって、前記非アクティブ化された第２の受信パスをアクティブ化するように構成され、
請求項２７に記載の装置。
【請求項３１】
前記少なくとも１つのプロセッサは、
前記第１の受信パスで前記第２の信号を受信した後に、前記第２の受信パスと接続するために、前記アンテナのセットのうちの前記２つ目のセットを選択し、ここにおいて、前記受信機は、前記アンテナのセットのうちの前記選択された２つ目のセットを介して前記第２の受信パスで第４の信号を受信するように構成され、
前記第２の受信パスで前記第４の信号をデジタル化した後に、前記デジタル化された第４の信号が前記第１の受信パスのベースベンド部分で処理されるようにベースバンドスイッチングを実行する
ように構成される、請求項１７に記載の装置。
【請求項３２】
前記第１の受信パスの前記ベースバンド部分は、前記ベースバンドスイッチングを実行する前に収束される、
請求項３１に記載の装置。
【請求項３３】
ワイヤレス通信のための装置であって、
送信パスと接続するために１または複数のアンテナの第１および第２のセットのうちの１つ目のセットを選択するための手段と、ここにおいて、前記第１および第２のセットは、受信ダイバーシティおよびアンテナスイッチ送信ダイバーシティの両方に対して選択可能である、
前記アンテナの第１および第２のセットのうちの前記１つ目のセット内の少なくとも１つの第１のアンテナを介して第１の信号を送信するための手段と、
第１の受信パスと接続するために前記アンテナの第１および第２のセットのうちの２つ目のセットを選択するための手段と、ここにおいて、前記アンテナの第１および第２のセットのうちのもう一方のセットは第２の受信パスに接続される、
前記アンテナのセットのうちの前記選択された２つ目のセット内の少なくとも１つの第２のアンテナを介して前記第１の受信パスで第２の信号を受信するための手段と、
前記アンテナのセットのうちのもう一方のセット内の少なくとも１つの第３のアンテナを介して前記第２の受信パスで第３の信号を受信するための手段と
を備える装置。
【請求項３４】
前記アンテナのセットのうちの前記１つ目のセットは、前記アンテナのセットのうちの前記２つ目のセットと同じであり、前記アンテナのセットのうちのもう一方のセットとは異なる、
請求項３３に記載の装置。
【請求項３５】
前記少なくとも１つの第１のアンテナは、前記少なくとも１つの第２のアンテナと同じである、
請求項３４に記載の装置。
【請求項３６】
前記アンテナのセットのうちの前記１つ目のセットは、前記アンテナのセットのうちのもう一方のセットと同じであり、前記アンテナのセットのうちの前記２つ目のセットとは異なる、
請求項３３に記載の装置。
【請求項３７】
前記少なくとも１つの第１のアンテナは、前記少なくとも１つの第３のアンテナとは異なる、
請求項３３に記載の装置。
【請求項３８】
前記アンテナのセットのうちの前記２つ目のセットを選択するための前記手段は、交差スイッチの構成から選択するように構成され、前記構成は、並列構成と交差構成とを備える、
請求項３３に記載の装置。
【請求項３９】
前記並列構成において、前記交差スイッチは、前記アンテナの第１のセットを前記第１の受信パスと接続し、前記アンテナの第２のセットを前記第２の受信パスと接続する、
請求項３８に記載の装置。
【請求項４０】
前記並列構成において、前記交差スイッチは、前記アンテナの第１のセットを前記送信パスと接続する、
請求項３９に記載の装置。
【請求項４１】
前記第２の信号を受信するための前記手段は、前記送信パスと前記交差スイッチとの間に結合されたデュプレクサを介して前記第１の受信パスで前記第２の信号を受信するように構成される、
請求項４０に記載の装置。
【請求項４２】
前記交差構成において、前記交差スイッチは、前記アンテナの第２のセットを前記第１の受信パスと接続し、前記アンテナの第１のセットを前記第２の受信パスと接続する、
請求項３８に記載の装置。
【請求項４３】
前記少なくとも１つの第２のアンテナからの信号を受信および処理するように前記第１の受信パスを動作するための手段と、ここにおいて、前記第２の受信パスは非アクティブ化される、
前記非アクティブ化された第２の受信パスをアクティブ化するための手段と、
前記少なくとも１つの第２のアンテナを介して前記第１の受信パスで受信された信号に基づいて少なくとも１つの第１のメトリックを決定し、前記少なくとも１つの第３のアンテナを介して前記アクティブ化された第２の受信パスで受信された信号に基づいて少なくとも１つの第２のメトリックを決定するための手段と、
前記第２のメトリックが前記第１のメトリックよりも良い場合、前記第１の受信パスを非アクティブ化し、前記少なくとも１つの第３のアンテナから受信された前記信号を処理するように前記第２の受信パスを動作するための手段と、
前記第２のメトリックが前記第１のメトリックよりも良くない場合、前記第２の受信パスを非アクティブ化するための手段と
をさらに備える、請求項３３に記載の装置。
【請求項４４】
前記第２のメトリックを決定するための手段が、
第４のアンテナから受信された前記信号に基づいて前記第２のメトリックを決定することと、
第５のアンテナから受信された前記信号に基づいて前記第２のメトリックを決定することと、
前記第４および前記第５のアンテナから受信された前記信号の組み合わせに基づいて前記第２のメトリックを決定することと
のうちの少なくとも１つによって前記第２のメトリックを決定するように構成されるように、前記少なくとも１つの第２のアンテナは、前記第４のアンテナおよび前記第５のアンテナを備える、
請求項４３に記載の装置。
【請求項４５】
前記第２の受信パスを動作するための前記手段は、前記第１の受信パスを動作することと前記第２の受信パスを動作することとの間に受信不連続性なく、前記第２の受信パスで受信された前記信号を処理するように構成される、
請求項４３に記載の装置。
【請求項４６】
前記非アクティブ化された第２の受信パスをアクティブ化するための前記手段は、前記第１の受信パスを動作する間に前記非アクティブ化された第２の受信パスをアクティブ化するように構成される、
請求項４３に記載の装置。
【請求項４７】
前記第１の受信パスで前記第２の信号を受信した後に、前記第２の受信パスと接続するために、前記アンテナのセットのうちの前記２つ目のセットを選択するための手段と、
前記アンテナのセットのうちの前記選択された２つ目のセットを介して前記第２の受信パスで第４の信号を受信するための手段と、
前記第２の受信パスで前記第４の信号をデジタル化した後に、前記デジタル化された第４の信号が前記第１の受信パスのベースベンド部分で処理されるようにベースバンドスイッチングを実行するための手段と
をさらに備える、請求項３３に記載の装置。
【請求項４８】
前記第１の受信パスの前記ベースバンド部分は、前記ベースバンドスイッチングを実行する前に収束される、
請求項４７に記載の装置。
【請求項４９】
ワイヤレス通信のためのコンピュータプログラムプロダクトであって、命令を格納するコンピュータ可読媒体を備え、前記命令は、１または複数のプロセッサによって実行可能であり、前記命令は、
送信パスと接続するために１または複数のアンテナの第１および第２のセットのうちの１つ目のセットを選択するための命令と、ここにおいて、前記第１および第２のセットは、受信ダイバーシティおよびアンテナスイッチ送信ダイバーシティの両方に対して選択可能である、
前記アンテナの第１および第２のセットのうちの前記１つ目のセット内の少なくとも１つの第１のアンテナを介して第１の信号を送信するための命令と、
第１の受信パスと接続するために前記アンテナの第１および第２のセットのうちの２つ目のセットを選択するための命令と、ここにおいて、前記アンテナの第１および第２のセットのうちのもう一方のセットは第２の受信パスに接続される、
前記アンテナのセットのうちの前記選択された２つ目のセット内の少なくとも１つの第２のアンテナを介して前記第１の受信パスで第２の信号を受信するための命令と、
前記アンテナのセットのうちのもう一方のセット内の少なくとも１つの第３のアンテナを介して前記第２の受信パスで第３の信号を受信するための命令と
を備える、コンピュータプログラムプロダクト。
【請求項５０】
前記アンテナのセットのうちの前記１つ目のセットは、前記アンテナのセットのうちの前記２つ目のセットと同じであり、前記アンテナのセットのうちのもう一方のセットとは異なる、
請求項４９に記載のコンピュータプログラムプロダクト。
【請求項５１】
前記少なくとも１つの第１のアンテナは、前記少なくとも１つの第２のアンテナと同じである、
請求項５０に記載のコンピュータプログラムプロダクト。
【請求項５２】
前記アンテナのセットのうちの前記１つ目のセットは、前記アンテナのセットのうちのもう一方のセットと同じであり、前記アンテナのセットのうちの前記２つ目のセットとは異なる、
請求項４９に記載のコンピュータプログラムプロダクト。
【請求項５３】
前記少なくとも１つの第１のアンテナは、前記少なくとも１つの第３のアンテナとは異なる、
請求項４９に記載のコンピュータプログラムプロダクト。
【請求項５４】
前記アンテナのセットのうちの前記２つ目のセットを選択することは、交差スイッチの構成から選択することを備え、前記構成は、並列構成と交差構成とを備える、
請求項４９に記載のコンピュータプログラムプロダクト。
【請求項５５】
前記並列構成において、前記交差スイッチは、前記アンテナの第１のセットを前記第１の受信パスと接続し、前記アンテナの第２のセットを前記第２の受信パスと接続する、
請求項５４に記載のコンピュータプログラムプロダクト。
【請求項５６】
前記並列構成において、前記交差スイッチは、前記アンテナの第１のセットを前記送信パスと接続する、
請求項５５に記載のコンピュータプログラムプロダクト。
【請求項５７】
前記第２の信号を受信することは、前記送信パスと前記交差スイッチとの間に結合されたデュプレクサを介して前記第１の受信パスで前記第２の信号を受信することを備える、
請求項５６に記載のコンピュータプログラムプロダクト。
【請求項５８】
前記交差構成において、前記交差スイッチは、前記アンテナの第２のセットを前記第１の受信パスと接続し、前記アンテナの第１のセットを前記第２の受信パスと接続する、
請求項５４に記載のコンピュータプログラムプロダクト。
【請求項５９】
前記少なくとも１つの第２のアンテナからの信号を受信および処理するように前記第１の受信パスを動作することと、ここにおいて、前記第２の受信パスは非アクティブ化される、
前記非アクティブ化された第２の受信パスをアクティブ化することと、
前記少なくとも１つの第２のアンテナを介して前記第１の受信パスで受信された信号に基づいて少なくとも１つの第１のメトリックを決定し、前記少なくとも１つの第３のアンテナを介して前記アクティブ化された第２の受信パスで受信された信号に基づいて少なくとも１つの第２のメトリックを決定することと、
前記第２のメトリックが前記第１のメトリックよりも良い場合、前記第１の受信パスを非アクティブ化し、前記少なくとも１つの第３のアンテナから受信された前記信号を処理するように前記第２の受信パスを動作することと、
前記第２のメトリックが前記第１のメトリックよりも良くない場合、前記第２の受信パスを非アクティブ化することと
をさらに備える、請求項４９に記載のコンピュータプログラムプロダクト。
【請求項６０】
前記第２のメトリックを決定することが、
第４のアンテナから受信された前記信号に基づいて前記第２のメトリックを決定することと、
第５のアンテナから受信された前記信号に基づいて前記第２のメトリックを決定することと、
前記第４および前記第５のアンテナから受信された前記信号の組み合わせに基づいて前記第２のメトリックを決定することと
のうちの少なくとも１つを備えるように、前記少なくとも１つの第２のアンテナは、前記第４のアンテナおよび前記第５のアンテナを備える、
請求項５９に記載のコンピュータプログラムプロダクト。
【請求項６１】
前記第２の受信パスを動作することは、前記第１の受信パスを動作することと前記第２の受信パスを動作することとの間に受信不連続性なく、前記第２の受信パスで受信された前記信号を処理することを備える、
請求項５９に記載のコンピュータプログラムプロダクト。
【請求項６２】
前記非アクティブ化された第２の受信パスをアクティブ化することは、前記第１の受信パスを動作する間に前記非アクティブ化された第２の受信パスをアクティブ化することを備える、
請求項５９に記載のコンピュータプログラムプロダクト。
【請求項６３】
前記第１の受信パスで前記第２の信号を受信した後に、前記第２の受信パスに接続するために、前記アンテナのセットのうちの前記２つ目のセットを選択することと、
前記アンテナのセットのうちの前記選択された２つ目のセットを介して前記第２の受信パスで第４の信号を受信することと、
前記第２の受信パスで前記第４の信号をデジタル化した後に、前記デジタル化された第４の信号が前記第１の受信パスのベースベンド部分で処理されるようにベースバンドスイッチングを実行することと
をさらに備える、請求項４９に記載のコンピュータプログラムプロダクト。
【請求項６４】
前記第１の受信パスの前記ベースバンド部分は、前記ベースバンドスイッチングを実行する前に収束される、
請求項６３に記載のコンピュータプログラムプロダクト。
【請求項６５】
ワイヤレス通信のための方法であって、
１または複数のアンテナの第１のセットから信号を受信し、前記アンテナの第１のセットから受信された前記信号を処理するように構成された第１の受信パスを動作することと、ここにおいて、受信ダイバーシティのための第２の受信パスは、１または複数のアンテナの第２のセットから信号を受信するように構成され、前記第２の受信パスは、非アクティブ化され、前記アンテナの第１のセットは、前記アンテナの第２のセットとは異なり、
前記非アクティブ化された第２の受信パスをアクティブ化することと、
前記第１の受信パスで受信された信号に基づいて少なくとも１つの第１のメトリックを決定し、前記アクティブ化された第２の受信パスで受信された信号に基づいて少なくとも１つの第２のメトリックを決定することと、
前記第２のメトリックが前記第１のメトリックよりも良い場合、前記第１の受信パスを非アクティブ化し、前記アンテナの第２のセットから受信された前記信号を処理するように前記第２の受信パスを動作することと、
前記第２のメトリックが前記第１のメトリックよりも良くない場合、前記第２の受信パスを非アクティブ化することと
を備える、方法。
【請求項６６】
前記第１および第２の受信パスで受信された信号の組み合わせに基づいて少なくとも１つの第３のメトリックを決定することと、
前記第３のメトリックが前記第１のメトリックおよび前記第２のメトリックよりも良い場合、前記アンテナの第１および第２のセットから受信された前記信号を処理するように前記第１の受信パスおよび前記第２の受信パスを動作することと、
前記第３のメトリックが前記第１のメトリックおよび前記第２のメトリックよりも良くない場合、前記第２の受信パスを非アクティブ化することと
をさらに備える、請求項６５に記載の方法。
【請求項６７】
前記第２の受信パスを動作することは、前記第１の受信パスを動作することと、前記第２の受信パスを動作することとの間での受信不連続性なく、前記第２の受信パスで受信された前記信号を処理することを備える、
請求項６５に記載の方法。
【請求項６８】
前記非アクティブ化された第２の受信パスをアクティブ化することは、前記第１の受信パスを動作する間に、前記非アクティブ化された第２の受信パスをアクティブ化することを備える、
請求項６５に記載の方法。
【請求項６９】
前記第１の受信パスまたは前記第２の受信パスをアクティブ化または非アクティブ化することは、スイッチンググリッチが回避されるように、前記ベースバンドにおいて発生する、
請求項６５に記載の方法。
【請求項７０】
前記少なくとも１つの第１のメトリックおよび前記少なくとも１つの第２のメトリックを決定することは、前記第１の受信パスで受信された前記信号のノイズおよび／または干渉に基づいて前記少なくとも１つの第１のメトリックを、前記アクティブ化された第２の受信パスで受信された前記信号のノイズおよび／または干渉に基づいて前記少なくとも１つの第２のメトリックを決定することを備える、
請求項６５に記載の方法。
【請求項７１】
前記少なくとも１つの第１のメトリックまたは前記少なくとも１つの第２のメトリックは、チャネル品質インジケータ（ＣＱＩ）、信号対ノイズ比（ＳＮＲ）、信号対干渉およびノイズ比（ＳＩＮＲ）、ビット誤り率（ＢＥＲ）、ブロック誤り率（ＢＬＥＲ）、データレート、バッテリパワー、熱、ダウンリンク伝送電力、ネットワーク容量、あるいは、それらの任意の組み合わせのうちの少なくとも１つを備える、
請求項６５に記載の方法。
【請求項７２】
前記少なくとも１つの第１のメトリックおよび前記少なくとも１つの第２のメトリックは、同じタイプのメトリックである、
請求項６５に記載の方法。
【請求項７３】
前記第１の受信パスは、送信パスに結合されたデュプレクサを介して前記アンテナの第１のセットからの前記信号を受信するように構成される、
請求項６５に記載の方法。
【請求項７４】
前記アンテナの第２のセットは、前記第２のメトリックを決定することが、
第１のアンテナから受信された前記信号に基づいて前記第２のメトリックを決定することと、
第２のアンテナから受信された前記信号に基づいて前記第２のメトリックを決定することと、
前記第１のアンテナおよび前記第２のアンテナから受信された前記信号の組み合わせに基づいて前記第２のメトリックを決定することと、
のうちの少なくとも１つを備えるように、前記第１のアンテナおよび前記第２のアンテナを備える、
請求項６５に記載の方法。
【請求項７５】
滞留期間の間、前記第２の受信パスを動作した後に、前記第２の受信パスを非アクティブ化することと、
前記滞留期間が終わる前に前記非アクティブ化された第１の受信パスをアクティブ化することと
をさらに備える、請求項６５に記載の方法。
【請求項７６】
前記非アクティブ化された第１の受信パスをアクティブ化することと、
前記アクティブ化された第１の受信パスで受信された信号に基づいて少なくとも１つの第３のメトリックを決定し、前記第２の受信パスで受信された信号に基づいて少なくとも１つの第４のメトリックを決定することと、
前記第３のメトリックが前記４のメトリックよりも良い場合、前記第２の受信パスを非アクティブ化し、前記アンテナの第１のセットから受信された前記信号を処理するように前記第１の受信パスを動作することと、
前記第３のメトリックが前記第４のメトリックよりも良くない場合、前記第１の受信パスを非アクティブ化することと
をさらに備える、請求項６５に記載の方法。
【請求項７７】
前記第１の受信パスを非アクティブ化し、前記第２の受信パスを動作することは、前記第２のメトリックが前記第１のメトリックよりも閾値の差で良い場合に前記第１の受信パスを非アクティブ化し、前記アンテナの第２のセットから受信された前記信号を処理するように前記第２の受信パスを動作することを備え、前記第２の受信パスを非アクティブ化することは、前記第２のメトリックが前記第１のメトリックよりも前記閾値の差で良くない場合に、前記第２の受信パスを非アクティブ化することを備える、
請求項６５に記載の方法。
【請求項７８】
前記第２の受信パスをアクティブ化することと、
前記少なくとも１つの第２のメトリックおよび前記少なくとも１つの第１のメトリックを決定することと、
前記第２のメトリックが前記第１のメトリックよりも良い場合に前記第２の受信パスを非アクティブ化することと
を繰り返すことをさらに備える、請求項６５に記載の方法。
【請求項７９】
前記第２の受信パスをアクティブ化することは、別の測定と干渉しないであろうインターバルの間に前記第２の受信パスをアクティブ化することを備える、
請求項６５に記載の方法。
【請求項８０】
前記アンテナの第１のセットおよび前記アンテナの第２のセットから選択することと、ここにおいて、前記第１の第２のセットは、受信ダイバーシティおよびアンテナスイッチ送信ダイバーシティの両方に対して選択可能であり、
前記選択されたアンテナのセットを介して信号を送信することと
をさらに備える、請求項６５に記載の方法。
【請求項８１】
前記アンテナの第１の第２のセットから選択することは、交差スイッチの構成から選択することを備え、前記構成は並列構成および交差構成を備える、
請求項８０に記載の方法。
【請求項８２】
前記交差スイッチの前記並列構成は、前記アンテナの第１のセットを前記第１の受信パスに接続し、前記アンテナの第２のセットを前記第２の受信パスに接続し、前記交差構成は、前記アンテナの第１のセットを前記第２の受信パスに接続し、前記アンテナの第２のセットを前記第１の受信パスに接続する、
請求項８１に記載の方法。
【請求項８３】
ワイヤレス通信のための装置であって、
１または複数のアンテナの第１のセットから信号を受信し、前記アンテナの第１のセットから受信された前記信号を処理するように構成された第１の受信パスを動作し、ここにおいて、受信ダイバーシティのための第２の受信パスは、１または複数のアンテナの第２のセットから信号を受信するように構成され、前記第２の受信パスは、非アクティブ化され、前記アンテナの第１のセットは、前記アンテナの第２のセットとは異なり、
前記非アクティブ化された第２の受信パスをアクティブ化し、
前記第１の受信パスで受信された信号に基づいて少なくとも１つの第１のメトリックを決定し、前記アクティブ化された第２の受信パスで受信された信号に基づいて少なくとも１つの第２のメトリックを決定し、
前記第２のメトリックが前記第１のメトリックよりも良い場合、前記第１の受信パスを非アクティブ化し、前記アンテナの第２のセットから受信された前記信号を処理するように前記第２の受信パスを動作し、
前記第２のメトリックが前記第１のメトリックよりも良くない場合、前記第２の受信パスを非アクティブ化する
ように構成された少なくとも１つのプロセッサを備える、装置。
【請求項８４】
前記少なくとも１つのプロセッサは、
前記第１および第２の受信パスで受信された信号の組み合わせに基づいて少なくとも１つの第３のメトリックを決定し、
前記第３のメトリックが前記第１のメトリックおよび前記第２のメトリックよりも良い場合、前記アンテナの第１および第２のセットから受信された前記信号を処理するように前記第１の受信パスおよび前記第２の受信パスを動作し、
前記第３のメトリックが前記第１のメトリックおよび前記第２のメトリックよりも良くない場合、前記第２の受信パスを非アクティブ化する
ように構成される、請求項８３に記載の装置。
【請求項８５】
前記少なくとも１つのプロセッサは、前記第１の受信パスを動作することと、前記第２の受信パスを動作することとの間での受信不連続性なく、前記第２の受信パスで受信された前記信号を処理することによって、前記第２の受信パスを動作するように構成される、
請求項８３に記載の装置。
【請求項８６】
前記少なくとも１つのプロセッサは、前記第１の受信パスを動作する間に、前記非アクティブ化された第２の受信パスをアクティブ化することによって、前記非アクティブ化された第２の受信パスをアクティブ化するように構成される、
請求項８３に記載の装置。
【請求項８７】
前記少なくとも１つのプロセッサは、スイッチンググリッチが回避されるように、前記ベースバンドにおいて前記第１の受信パスまたは前記第２の受信パスをアクティブ化または非アクティブ化するように構成される、
請求項８３に記載の装置。
【請求項８８】
前記少なくとも１つのプロセッサは、前記第１の受信パスで受信された前記信号のノイズおよび／または干渉に基づいて前記少なくとも１つの第１のメトリックを決定し、前記アクティブ化された第２の受信パスで受信された前記信号のノイズおよび／または干渉に基づいて前記少なくとも１つの第２のメトリックを決定することよって、前記少なくとも１つの第１のメトリックおよび前記少なくとも１つの第２のメトリックを決定するように構成される、
請求項８３に記載の装置。
【請求項８９】
前記少なくとも１つの第１のメトリックまたは前記少なくとも１つの第２のメトリックは、チャネル品質インジケータ（ＣＱＩ）、信号対ノイズ比（ＳＮＲ）、信号対干渉およびノイズ比（ＳＩＮＲ）、ビット誤り率（ＢＥＲ）、ブロック誤り率（ＢＬＥＲ）、データレート、バッテリパワー、熱、ダウンリンク伝送電力、ネットワーク容量、あるいは、それらの任意の組み合わせのうちの少なくとも１つを備える、
請求項８３に記載の装置。
【請求項９０】
前記少なくとも１つの第１のメトリックおよび前記少なくとも１つの第２のメトリックは、同じタイプのメトリックである、
請求項８３に記載の装置。
【請求項９１】
前記第１の受信パスは、送信パスに結合されたデュプレクサを介して前記アンテナの第１のセットから前記信号を受信するように構成される、
請求項８３に記載の装置。
【請求項９２】
前記少なくとも１つのプロセッサが、
第１のアンテナから受信された前記信号に基づいて前記第２のメトリックを決定することと、
第２のアンテナから受信された前記信号に基づいて前記第２のメトリックを決定することと、
前記第１のアンテナおよび前記第２のアンテナから受信された前記信号の組み合わせに基づいて前記第２のメトリックを決定することと
のうちの少なくとも１つによって前記第２のメトリックを決定するように構成されるように、前記アンテナの第２のセットは、前記第１のアンテナおよび前記第２のアンテナを備える、
請求項８３に記載の装置。
【請求項９３】
前記少なくとも１つのプロセッサは、
滞留期間の間、前記第２の受信パスを動作した後に、前記第２の受信パスを非アクティブ化し、
前記滞留期間が終わる前に前記非アクティブ化された第１の受信パスをアクティブ化する
ように構成される、請求項８３に記載の装置。
【請求項９４】
前記少なくとも１つのプロセッサは、
前記非アクティブ化された第１の受信パスをアクティブ化し、
前記アクティブ化された第１の受信パスで受信された信号に基づいて少なくとも１つの第３のメトリックを決定し、前記第２の受信パスで受信された信号に基づいて少なくとも１つの第４のメトリックを決定し、
前記第３のメトリックが前記４のメトリックよりも良い場合、前記第２の受信パスを非アクティブ化し、前記アンテナの第１のセットから前記受信された信号を処理するように前記第１の受信パスを動作し、
前記第３のメトリックが前記第４のメトリックよりも良くない場合、前記第１の受信パスを非アクティブ化する
ように構成される、請求項８３に記載の装置。
【請求項９５】
前記少なくとも１つのプロセッサは、前記第２のメトリックが前記第１のメトリックよりも閾値の差で良い場合に、前記第１の受信パスを非アクティブ化し、前記アンテナの第２のセットから受信された前記信号を処理するように前記第２の受信パスを動作することによって、前記第１の受信パスを非アクティブ化し、前記第２の受信パスを動作するように構成され、前記少なくとも１つのプロセッサは、前記第２のメトリックが前記第１のメトリックよりも前記閾値の差で良くない場合に、前記第２の受信パスを非アクティブ化することによって、前記第２の受信パスを非アクティブ化するように構成される、
請求項８３に記載の装置。
【請求項９６】
前記第１のプロセッサは、
前記第２の受信パスをアクティブ化することと、
前記少なくとも１つの第２のメトリックおよび前記少なくとも１つの第１のメトリックを決定することと、
前記第２のメトリックが前記第１のメトリックよりも良くない場合に前記第２の受信パスを非アクティブ化することと
を繰り返すように構成される、請求項８３に記載の装置。
【請求項９７】
前記第１のプロセッサは、別の測定と干渉しないであろうインターバルの間に前記第２の受信パスをアクティブ化することによって、前記第２の受信パスをアクティブ化するように構成される、
請求項８３に記載の装置。
【請求項９８】
送信機をさらに備え、ここにおいて、前記少なくとも１つのプロセッサは、前記アンテナの第１のセットおよび前記アンテナの第２のセットから選択するように構成され、前記第１のセットおよび第２のセットは、受信ダイバーシティおよびアンテナスイッチ送信ダイバーシティの両方に対して選択可能であり、前記送信機は、前記選択されたアンテナのセットを介して信号を送信するように構成される、
請求項８３に記載の装置。
【請求項９９】
前記少なくとも１つのプロセッサは、交差スイッチの構成から選択することによって、前記アンテナの第１のセットおよび第２のセットから選択するように構成され、前記構成は並列構成および交差構成を備える、
請求項９８に記載の装置。
【請求項１００】
前記交差スイッチの前記並列構成は、前記第１の受信パスに前記アンテナの第１のセットを接続し、前記第２の受信パスに前記アンテナの第２のセットを接続し、前記交差構成は、前記第２の受信パスに前記アンテナの第１のセットを接続し、前記第１の受信パスに前記アンテナの第２のセットを接続する、
請求項９９に記載の装置。
【請求項１０１】
ワイヤレス通信のための装置であって、
１または複数のアンテナの第１のセットから信号を受信し、前記アンテナの第１のセットから受信された前記信号を処理するように構成された第１の受信パスを動作するための手段と、ここにおいて、受信ダイバーシティのための第２の受信パスは、１または複数のアンテナの第２のセットから信号を受信するように構成され、前記第２の受信パスは、非アクティブ化され、前記アンテナの第１のセットは、前記アンテナの第２のセットとは異なる、
前記非アクティブ化された第２の受信パスをアクティブ化するための手段と、
前記第１の受信パスで受信された信号に基づいて少なくとも１つの第１のメトリックを決定し、前記アクティブ化された第２の受信パスで受信された信号に基づいて少なくとも１つの第２のメトリックを決定するための手段と、
前記第２のメトリックが前記第１のメトリックよりも良い場合、前記第１の受信パスを非アクティブ化し、前記アンテナの第２のセットから受信された前記信号を処理するように前記第２の受信パスを動作するための手段と、
前記第２のメトリックが前記第１のメトリックよりも良くない場合、前記第２の受信パスを非アクティブ化するための手段と
を備える、装置。
【請求項１０２】
前記第１の受信パスおよび前記第２の受信パスで受信された信号の組み合わせに基づいて少なくとも１つの第３のメトリックを決定するための手段と、
前記第３のメトリックが前記第１のメトリックおよび前記第２のメトリックよりも良い場合、前記アンテナの第１および第２のセットから受信された前記信号を処理するように前記第１の受信パスおよび前記第２の受信パスを動作するための手段と、
前記第３のメトリックが前記第１のメトリックおよび前記第２のメトリックよりも良くない場合、前記第２の受信パスを非アクティブ化するための手段と
をさらに備える、請求項１０１に記載の装置。
【請求項１０３】
前記第２の受信パスを動作するための前記手段は、前記第１の受信パスを動作することと、前記第２の受信パスを動作することとの間での受信不連続性なく、前記第２の受信パスで受信された前記信号を処理するように構成される、
請求項１０１に記載の装置。
【請求項１０４】
前記非アクティブ化された第２の受信パスをアクティブ化するための前記手段は、前記第１の受信パスを動作する間に、前記非アクティブ化された第２の受信パスをアクティブ化するように構成される、
請求項１０１に記載の装置。
【請求項１０５】
前記第１の受信パスまたは前記第２の受信パスをアクティブ化または非アクティブ化するための前記手段は、スイッチンググリッチが回避されるように、前記ベースバンドにおいて動作する、
請求項１０１に記載の装置。
【請求項１０６】
前記少なくとも１つの第１のメトリックおよび前記少なくとも１つの第２のメトリックを決定するための前記手段は、前記第１の受信パスで受信された前記信号のノイズおよび／または干渉に基づいて前記少なくとも１つの第１のメトリックを決定し、前記アクティブ化された第２の受信パスで受信された前記信号のノイズおよび／または干渉に基づいて前記少なくとも１つの第２のメトリックを決定するように構成される、
請求項１０１に記載の装置。
【請求項１０７】
前記少なくとも１つの第１のメトリックまたは前記少なくとも１つの第２のメトリックは、チャネル品質インジケータ（ＣＱＩ）、信号対ノイズ比（ＳＮＲ）、信号対干渉およびノイズ比（ＳＩＮＲ）、ビット誤り率（ＢＥＲ）、ブロック誤り率（ＢＬＥＲ）、データレート、バッテリパワー、熱、ダウンリンク伝送電力、ネットワーク容量、あるいは、それらの任意の組み合わせのうちの少なくとも１つを備える、
請求項１０１に記載の装置。
【請求項１０８】
前記少なくとも１つの第１のメトリックおよび前記少なくとも１つの第２のメトリックは、同じタイプのメトリックである、
請求項１０１に記載の装置。
【請求項１０９】
前記第１の受信パスは、送信パスに結合されたデュプレクサを介して前記アンテナの第１のセットから前記信号を受信するように構成される、
請求項１０１に記載の装置。
【請求項１１０】
前記第２のメトリックを決定するための手段が、
第１のアンテナから受信された前記信号に基づいて前記第２のメトリックを決定することと、
第２のアンテナから受信された前記信号に基づいて前記第２のメトリックを決定することと、
前記第１のアンテナおよび前記第２のアンテナから受信された前記信号の組み合わせに基づいて前記第２のメトリックを決定することと
のうちの少なくとも１つによって前記第２のメトリックを決定するように構成される、前記アンテナの第２のセットは、前記第１のアンテナおよび前記第２のアンテナを備える、
請求項１０１に記載の装置。
【請求項１１１】
滞留期間の間、前記第２の受信パスを動作した後に、前記第２の受信パスを非アクティブ化するための手段と、
前記滞留期間が終わる前に前記非アクティブ化された第１の受信パスをアクティブ化するための手段と
をさらに備える、請求項１０１に記載の装置。
【請求項１１２】
前記非アクティブ化された第１の受信パスをアクティブ化するための手段と、
前記アクティブ化された第１の受信パスで受信された信号に基づいて少なくとも１つの第３のメトリックを決定し、前記第２の受信パスで受信された信号に基づいて少なくとも１つの第４のメトリックを決定するための手段と、
前記第３のメトリックが前記４のメトリックよりも良い場合、前記第２の受信パスを非アクティブ化し、前記アンテナの第１のセットから受信された前記信号を処理するように前記第１の受信パスを動作するための手段と、
前記第３のメトリックが前記第４のメトリックよりも良くない場合、前記第１の受信パスを非アクティブ化するための手段と
をさらに備える、請求項１０１に記載の装置。
【請求項１１３】
前記第２のメトリックが前記第１のメトリックよりも閾値の差で良い場合、前記第１の受信パスを非アクティブ化し、前記第２の受信パスを動作するための前記手段は、前記第１の受信パスを非アクティブ化し、前記アンテナの第２のセットから受信された前記信号を処理するように前記第２の受信パスを動作するように構成され、前記第２の受信パスを非アクティブ化するための前記手段は、前記第２のメトリックが前記第１のメトリックよりも前記閾値の差で良くない場合に、前記第２の受信パスを非アクティブ化するように構成される、
請求項１０１に記載の装置。
【請求項１１４】
前記第２の受信パスをアクティブ化することと、前記少なくとも１つの第２のメトリックおよび前記少なくとも１つの第１のメトリックを決定することと、前記第２のメトリックが前記第１のメトリックよりも良い場合に前記第２の受信パスを非アクティブ化することとを繰り返すための手段をさらに備える、
請求項１０１に記載の装置。
【請求項１１５】
前記第２の受信パスをアクティブ化するための前記手段は、別の測定と干渉しないであろうインターバルの間に前記第２の受信パスをアクティブ化するように構成される、
請求項１０１に記載の装置。
【請求項１１６】
前記アンテナの第１のセットおよび前記アンテナの第２のセットから選択するための手段と、ここにおいて、前記第１および第２のセットは、受信ダイバーシティおよびアンテナスイッチ送信ダイバーシティの両方に対して選択可能であり、
前記選択されたアンテナのセットを介して信号を送信するための手段と
をさらに備える、請求項１０１に記載の装置。
【請求項１１７】
前記アンテナの第１および第２のセットから選択するための前記手段は、交差スイッチの構成から選択するように構成され、前記構成は、並列構成および交差構成を備える、
請求項１１６に記載の装置。
【請求項１１８】
前記交差スイッチの前記並列構成は、前記第１の受信パスに前記アンテナの第１のセットを接続し、前記第２の受信パスに前記アンテナの第２のセットを接続し、前記交差構成は、前記第２の受信パスに前記アンテナの第１のセットを接続し、前記第１の受信パスに前記アンテナの第２のセットを接続する、
請求項１１７に記載の装置。
【請求項１１９】
ワイヤレス通信のためのコンピュータプログラムプロダクトであって、命令を格納するコンピュータ可読媒体を備え、前記命令は、１または複数のプロセッサによって実行可能であり、前記命令は、
１または複数のアンテナの第１のセットから信号を受信し、前記アンテナの第１のセットから受信された前記信号を処理するように構成された第１の受信パスを動作するための命令と、ここにおいて、受信ダイバーシティのための第２の受信パスは、１または複数のアンテナの第２のセットから信号を受信するように構成され、前記第２の受信パスは、非アクティブ化され、前記アンテナの第１のセットは、前記アンテナの第２のセットとは異なる、
前記非アクティブ化された第２の受信パスをアクティブ化するための命令と、
前記第１の受信パスで受信された信号に基づいて少なくとも１つの第１のメトリックを、前記アクティブ化された第２の受信パスで受信された信号に基づいて少なくとも１つの第２のメトリックを決定するための命令と、
前記第２のメトリックが前記第１のメトリックよりも良い場合、前記第１の受信パスを非アクティブ化し、前記アンテナの第２のセットから受信された前記信号を処理するように前記第２の受信パスを動作するための命令と、
前記第２のメトリックが前記第１のメトリックよりも良くない場合、前記第２の受信パスを非アクティブ化するための命令と
を備える、コンピュータプログラムプロダクト。
【請求項１２０】
前記第１の受信パスおよび前記第２の受信パスで受信された信号の組み合わせに基づいて少なくとも１つの第３のメトリックを決定するための命令と、
前記第３のメトリックが前記第１のメトリックおよび前記第２のメトリックよりも良い場合に、前記アンテナの第１および第２のセットから受信された前記信号を処理するように前記第１の受信パスおよび前記第２の受信パスを動作するための命令と、
前記第３のメトリックが前記第１のメトリックおよび前記第２のメトリックよりも良くない場合に、前記第２の受信パスを非アクティブ化するための命令と
をさらに備える、請求項１１９に記載のコンピュータプログラムプロダクト。
【請求項１２１】
前記第２の受信パスを動作することは、前記第１の受信パスを動作することと、前記第２の受信パスを動作することとの間での受信不連続性なく、前記第２の受信パスで受信された前記信号を処理することを備える、
請求項１１９に記載のコンピュータプログラムプロダクト。
【請求項１２２】
前記非アクティブ化された第２の受信パスをアクティブ化することは、前記第１の受信パスを動作する間に、前記非アクティブ化された第２の受信パスをアクティブ化することを備える、
請求項１１９に記載のコンピュータプログラムプロダクト。
【請求項１２３】
前記第１の受信パスまたは前記第２の受信パスをアクティブ化または非アクティブ化することは、スイッチンググリッチが回避されるように、前記ベースバンドにおいて発生する、
請求項１１９に記載のコンピュータプログラムプロダクト。
【請求項１２４】
前記少なくとも１つの第１のメトリックおよび前記少なくとも１つの第２のメトリックを決定することは、前記第１の受信パスで受信された前記信号のノイズおよび／または干渉に基づいて前記少なくとも１つの第１のメトリックを決定し、前記アクティブ化された第２の受信パスで受信された前記信号のノイズおよび／または干渉に基づいて前記少なくとも１つの第２のメトリックを決定することを備える、
請求項１１９に記載のコンピュータプログラムプロダクト。
【請求項１２５】
前記少なくとも１つの第１のメトリックまたは前記少なくとも１つの第２のメトリックは、チャネル品質インジケータ（ＣＱＩ）、信号対ノイズ比（ＳＮＲ）、信号対干渉およびノイズ比（ＳＩＮＲ）、ビット誤り率（ＢＥＲ）、ブロック誤り率（ＢＬＥＲ）、データレート、バッテリパワー、熱、ダウンリンク伝送電力、ネットワーク容量、あるいは、それらの任意の組み合わせのうちの少なくとも１つを備える、
請求項１１９に記載のコンピュータプログラムプロダクト。
【請求項１２６】
前記少なくとも１つの第１のメトリックおよび前記少なくとも１つの第２のメトリックは、同じタイプのメトリックである、
請求項１１９に記載のコンピュータプログラムプロダクト。
【請求項１２７】
前記第１の受信パスは、送信パスに結合されたデュプレクサを介して前記アンテナの第１のセットから前記信号を受信するように構成される、
請求項１１９に記載のコンピュータプログラムプロダクト。
【請求項１２８】
前記第２のメトリックを決定することが、
第１のアンテナから受信された前記信号に基づいて前記第２のメトリックを決定することと、
第２のアンテナから受信された前記信号に基づいて前記第２のメトリックを決定することと、
前記第１のアンテナおよび前記第２のアンテナから受信された前記信号の組み合わせに基づいて前記第２のメトリックを決定することと、
のうちの少なくとも１つを備えるように、前記アンテナの第２のセットは、前記第１のアンテナおよび前記第２のアンテナを備える、
請求項１１９に記載のコンピュータプログラムプロダクト。
【請求項１２９】
前記コンピュータ可読媒体は、
滞留期間の間、前記第２の受信パスを動作した後に、前記第２の受信パスを非アクティブ化するための命令と、
前記滞留期間が終わる前に前記非アクティブ化された第１の受信パスをアクティブ化するための命令と
を備える、請求項１１９に記載のコンピュータプログラムプロダクト。
【請求項１３０】
前記コンピュータ可読媒体は、
前記非アクティブ化された第１の受信パスをアクティブ化するための命令と、
前記アクティブ化された第１の受信パスで受信された信号に基づいて少なくとも１つの第３のメトリックを決定し、前記第２の受信パスで受信された信号に基づいて少なくとも１つの第４のメトリックを決定するための命令と、
前記第３のメトリックが前記４のメトリックよりも良い場合、前記第２の受信パスを非アクティブ化し、前記アンテナの第１のセットから受信された信号を処理するように前記第１の受信パスを動作するための命令と、
前記第３のメトリックが前記第４のメトリックよりも良くない場合、前記第１の受信パスを非アクティブ化するための命令と
を備える、請求項１１９に記載のコンピュータプログラムプロダクト。
【請求項１３１】
前記第１の受信パスを非アクティブ化し、前記第２の受信パスを動作することは、前記第２のメトリックが前記第１のメトリックよりも閾値の差で良い場合に、前記第１の受信パスを非アクティブ化し、前記アンテナの第２のセットから前記受信された信号を処理するように前記第２の受信パスを動作することを備え、前記第２の受信パスを非アクティブ化することは、前記第２のメトリックが前記第１のメトリックよりも前記閾値の差で良くない場合に、前記第２の受信パスを非アクティブ化することを備える、
請求項１１９に記載のコンピュータプログラムプロダクト。
【請求項１３２】
前記第２の受信パスをアクティブ化することと、前記少なくとも１つの第２のメトリックおよび前記少なくとも１つの第１のメトリックを決定することと、前記第２のメトリックが前記第１のメトリックよりも良くない場合に前記第２の受信パスを非アクティブ化することとを繰り返すための命令をさらに備える、
請求項１１９に記載のコンピュータプログラムプロダクト。
【請求項１３３】
前記第２の受信パスをアクティブ化することは、別の測定と干渉しないであろうインターバルの間に前記第２の受信パスをアクティブ化することを備える、
請求項１１９に記載のコンピュータプログラムプロダクト。
【請求項１３４】
前記コンピュータ可読媒体は、
前記アンテナの第１のセットおよび前記アンテナの第２のセットから選択するための命令と、ここにおいて、前記第１および第２のセットは、受信ダイバーシティおよびアンテナスイッチ送信ダイバーシティの両方に対して選択可能である、
前記アンテナの選択されたセットを介して信号を送信するための命令と
を備える、請求項１１９に記載のコンピュータプログラムプロダクト。
【請求項１３５】
前記アンテナの第１および第２のセットから選択することは、交差スイッチの構成から選択することを備え、前記構成は並列構成および交差構成を備える、
請求項１３４に記載のコンピュータプログラムプロダクト。
【請求項１３６】
前記交差スイッチの前記並列構成は、前記第１の受信パスに前記アンテナの第１のセットを接続し、前記第２の受信パスに前記アンテナの第２のセットを接続し、前記交差構成は、前記第２の受信パスに前記アンテナの第１のセットを接続し、前記第１の受信パスに前記アンテナの第２のセットを接続する、
請求項１３５に記載のコンピュータプログラムプロダクト。
【発明の詳細な説明】
【関連出願】
【０００１】
本願は、全体が参照により明示的に本明細書に組み込まれた、２００９年１２月８日に出願された「DAA: DYNAMIC ANTENNA ALLOCATION」と題する米国仮出願６１／２６７６５０号および２０１０年１月２２日に出願された「COMBINED INTELLIGENT RECEIVE DIVERSITY 9IRD) AND MOBILE TRANSMIT DIVERSITY (MTD) FOR INDEPENDENT ANTENNA SWITCHING FOR UPLINK AND DOWNLINK」と題する米国仮出願６１／２９７３６３号の優先権を主張する。
【技術分野】
【０００２】
本開示の特定の態様は一般にワイヤレス通信に関し、より具体的には、受信ダイバーシティと送信ダイバーシティとの組み合わせをサポートするユーザ端末での独立アンテナ選択に関する。
【背景技術】
【０００３】
ワイヤレス通信ネットワークは、電話技術、ビデオ、データ、メッセージング、ブロードキャストなどの様々な通信サービスを提供するために広く展開されている。一般的に多元接続ネットワークでありうるそのようなネットワークは、利用可能なネットワークリソースを共有することによって複数のユーザに対して通信をサポートする。例えば、あるネットワークは、３Ｇ（第３世代のモバイル電話規格およびテクノロジ）システムであり、それは、ＥＶＤＯ（Evolution-Data Optimized）、１ｘＲＴＴ（1 times Radio Transmission Technologyあるいは単に１ｘ）、Ｗ−ＣＤＭＡ（広域符合分割多元接続）、ＵＭＴＳ−ＴＤＤ（Universal Mobile Telecommunications System - Time Division Duplexing）、ＨＳＰＡ（高速パケット接続）、ＧＰＲＳ（汎用パケット無線サービス）、および、ＥＤＧＥ（Enhanced Data rates for Global Evolution）を含む様々な３Ｇ無線アクセステクノロジ（ＲＡＴ）のうちのいずれか１つを介してネットワークサービスを提供しうる。３Ｇネットワークは、音声呼出に加えて、高速インターネットアクセスおよびビデオ電話技術を組み込むように進化した広域セルラ電話ネットワークである。さらに、３Ｇネットワークは、別のネットワークシステムよりも多く確立され、それよりも大きなカバレッジエリアを提供しうる。
【０００４】
ワイヤレス通信ネットワークは、多数の移動局に対して通信をサポートすることができる多数の基地局を含みうる。移動局（ＭＳ）は、ダウンリンクおよびアップリンクを介して基地局（ＢＳ）と通信しうる。ダウンリンク（あるいは順方向リンク）は、基地局から移動局への通信リンクを指し、アップリンク（または、逆方向リンク）は、移動局から基地局への通信リンクを指す。基地局は、ダウンリンク上でデータおよび制御情報を移動局に送信し、および／または、アップリンク上でデータおよび制御情報を移動局から受信しうる。
【０００５】
複数のアンテナを有するトランシーバは、異なる特性を有する２つ以上の通信チャネルを使用した送信メッセージの信頼性を増やすために、様々な適切なダイバーシティスキームのいずれかを実施しうる。個々のチャネルが異なるレベルの干渉およびフェージングを経験しうるため、そのようなダイバーシティスキームは、誤りバーストを回避することに加えて、同一チャネル干渉およびフェージングの効果を減らしうる。
【０００６】
ダイバーシティスキームの１つのタイプは、信号が異なる伝播パスを横切りうる空間ダイバーシティを利用する。ワイヤレス伝送の場合、空間ダイバーシティは、複数の送信アンテナ（送信ダイバーシティ）および／または複数の受信アンテナ（受信ダイバーシティ）を使用するアンテナダイバーシティを通して達成されうる。２つ以上のアンテナを使用することで、マルチパス信号の歪みが削除されるか、少なくとも減らされうる。２つのアンテナを用いる受信ダイバーシティの場合、ノイズが少ない方の（例えば、信号対ノイズ比（ＳＮＲ）が最大の）アンテナからの信号が典型的に選択され、もう一方のアンテナからの信号は無視される。いくつかの別の技術は両方のアンテナからの信号を使用し、エンハンスド受信ダイバーシティのためにこれらの信号を結合する。
【発明の概要】
【０００７】
本開示の特定の態様は一般的に、送信機（Ｔｘ）が、送信ダイバーシティと受信ダイバーシティの両方をサポートするトランシーバ内の受信機（Ｒｘ）から独立してアンテナ選択を実行することを可能にすることに関する。
【０００８】
本開示の特定の態様は、ワイヤレス通信のための方法を提供する。方法は、一般的に、送信パスと接続するために１または複数のアンテナの第１および第２のセットから１つ目のセットを選択することと、ここにおいて、第１および第２のセットは、送信ダイバーシティおよび受信ダイバーシティの両方に対して選択可能であり、アンテナの第１および第２のセットのうちの１つ目のセット内の少なくとも１つの第１のアンテナを介して第１の信号を送信することと、第１の受信パスと接続するためにアンテナの第１および第２のセットから２つ目のセットを独立して選択することと、ここにおいて、アンテナの第１および第２のセットのうちのもう一方のセットは第２の受信パスに接続され、アンテナのセットのうちの選択された２つ目のセット内の少なくとも１つの第２のアンテナを介して第１の受信パスで第２の信号を受信することと、アンテナのセットのうちのもう一方のセット内の少なくとも１つの第３のアンテナを介して第２の受信パスで第３の信号を受信することとを含む。
【０００９】
本開示の特定の態様は、ワイヤレス通信のための装置を提供する。装置は、一般的に、送信パスと接続するために、１または複数のアンテナの第１および第２のセットのうちの１つ目のセットを選択するように構成された少なくとも１つのプロセッサと、ここにおいて、第１および第２のセットは、送信ダイバーシティおよび受信ダイバーシティの両方に対して選択可能であり、アンテナの第１および第２のセットのうちの１つ目のセット内の少なくとも１つの第１のアンテナを介して第１の信号を送信するように構成された送信機と、ここにおいて、少なくとも１つのプロセッサは、第１の受信パスと接続するために、アンテナの第１および第２のセットのうちの２つ目のセットを独立して選択するように構成され、ここにおいて、アンテナの第１および第２のセットのうちのもう一方のセットは第２の受信パスに接続され、アンテナのセットのうちの選択された２つ目のセット内の少なくとも１つの第２のアンテナを介して第１の受信パスで第２の信号を受信し、アンテナのセットのうちのもう一方のセット内の少なくとも１つの第３のアンテナを介して第２の受信パスで第３の信号を受信するように構成された受信機とを含む。
【００１０】
本開示の特定の態様は、ワイヤレス通信のための装置を提供する。装置は、一般的に、送信パスと接続するために、１または複数のアンテナの第１および第２のセットのうちの１つ目のセットを選択するための手段と、ここにおいて、第１および第２のセットは、送信ダイバーシティおよび受信ダイバーシティの両方に対して選択可能であり、アンテナの第１および第２のセットのうちの１つ目のセット内の少なくとも１つの第１のアンテナを介して第１の信号を送信するための手段と、第１の受信パスと接続するためにアンテナの第１および第２のセットのうちの２つ目のセットを独立して選択するための手段と、ここにおいて、アンテナの第１および第２のセットのうちのもう一方のセットは第２の受信パスに接続され、アンテナのセットのうちの選択された２つ目のセット内の少なくとも１つの第２のアンテナを介して第１の受信パスで第２の信号を受信するための手段と、アンテナのセットのもう一方のセット内の少なくとも１つの第３のアンテナを介して第２の受信パスで第３の信号を受信するための手段とを含む。
【００１１】
本開示の特定の態様は、ワイヤレス通信のためのコンピュータプログラムプロダクトを提供する。コンピュータプログラムプロダクトは、一般的に、命令を格納するコンピュータ可読媒体を含み、命令は、１または複数のプロセッサによって実行可能である。命令は、典型的に、送信パスと接続するために１または複数のアンテナの第１および第２のセットのうちの１つ目のセットを選択するための命令と、ここにおいて、第１および第２のセットは、送信ダイバーシティおよび受信ダイバーシティの両方に対して選択可能であり、アンテナの第１および第２のセットのうちの１つ目のセット内の少なくとも１つの第１のアンテナを介して第１の信号を送信するための命令と、第１の受信パスと接続するためにアンテナの第１および第２のセットのうちの２つ目のセットを独立して選択するための命令と、ここにおいて、アンテナの第１および第２のセットのうちのもう一方のセットは第２の受信パスに接続され、アンテナのセットのうちの選択された２つ目のセット内の少なくとも１つの第２のアンテナを介して第１の受信パスで第２の信号を受信するための命令と、アンテナのセットのもう一方のセット内の少なくとも１つの第３のアンテナを介して第２の受信パスで第３の信号を受信するための命令とを含む。
【００１２】
本開示の特定の態様は、ワイヤレス通信のための方法を提供する。方法は、一般的に、１または複数のアンテナの第１のセットから信号を受信し、アンテナの第１のセットから受信された信号を処理するように構成された第１の受信パスを動作することと、ここにおいて、受信ダイバーシティのための第２の受信パスは、１または複数のアンテナの第２のセットから信号を受信するように構成され、第２の受信パスは非アクティブ化され、アンテナの第１のセットは、アンテナの第２のセットとは異なり、非アクティブ化された第２の受信パスをアクティブ化することと、少なくとも１つの第１のメトリックを第１の受信パスで受信された信号に基づいて、少なくとも１つの第２のメトリックをアクティブ化された第２の受信パスで受信された信号に基づいて決定することと、第２のメトリックが第１のメトリックよりも良い場合、アンテナの第２のセットから受信された信号を処理するために、第１の受信パスを非アクティブ化し、第２の受信パスを動作することと、第２のメトリックが第１のメトリックよりも良くない場合、第２の受信パスを非アクティブ化することとを含む。
【００１３】
本開示の特定の態様は、ワイヤレス通信のための装置を提供する。装置は、一般的に、１または複数のアンテナの第１のセットから信号を受信し、アンテナの第１のセットから受信される信号を処理するように構成された第１の受信パスを動作し、ここにおいて、受信ダイバーシティのための第２の受信パスは、１または複数のアンテナの第２のセットから信号を受信するように構成され、第２の受信パスは非アクティブ化され、アンテナの第１のセットは、アンテナの第１のセットとは異なり、非アクティブ化された第２の受信パスをアクティブ化し、少なくとも１つの第１のメトリックを第１の受信パスで受信された信号に基づいて、少なくとも１つの第２のメトリックをアクティブ化された第２の受信パスで受信された信号基づいて決定し、第２のメトリックが第１のメトリックよりも良い場合、アンテナの第２のセットから受信された信号を処理するために、第１の受信パスを非アクティブ化し、第２の受信パスを動作し、第２のメトリックが第１のメトリックよりも良くない場合、第２の受信パスを非アクティブ化するように構成された少なくとも１つのプロセッサを含む。
【００１４】
本開示の特定の態様は、ワイヤレス通信のための装置を提供する。装置は、一般的に、一般的に、１または複数のアンテナの第１のセットから信号を受信し、アンテナの第１のセットから受信された信号を処理するように構成された第１の受信パスを動作するための手段と、ここにおいて、受信ダイバーシティのための第２の受信パスは、１または複数のアンテナの第２のセットから信号を受信するように構成され、第２の受信パスは非アクティブ化され、アンテナの第１のセットは、アンテナの第２のセットとは異なり、非アクティブ化された第２の受信パスをアクティブ化するための手段と、少なくとも１つの第１のメトリックを第１の受信パスから受信された信号に基づいて、少なくとも１つの第２のメトリックをアクティブ化された第２の受信パスで受信された信号に基づいて決定するための手段と、第２のメトリックが第１のメトリックよりも良い場合、アンテナの第２のセットから受信された信号を処理するために、第１の受信パスを非アクティブ化し、第２の受信パスを動作するための手段と、第２のメトリックが第１のメトリックよりも良くない場合、第２の受信パスを非アクティブ化するための手段とを含む。
【００１５】
本開示の特定の態様は、ワイヤレス通信のためのコンピュータプログラムプロダクトを提供する。コンピュータプログラムプロダクトは、一般的に、命令を格納するコンピュータ可読媒体を含み、この命令は、１または複数のプロセッサによって実行可能である。命令は、典型的に、１または複数のアンテナの第１のセットから信号を受信し、アンテナの第１のセットから受信された信号を処理するように構成された第１の受信パスを動作するための命令と、ここにおいて、受信ダイバーシティのための第２の受信パスは、１または複数のアンテナの第２のセットから信号を受信するように構成され、第２の受信パスは非アクティブ化され、アンテナの第１のセットは、アンテナの第２のセットとは異なり、非アクティブ化された第２の受信パスをアクティブ化するための手段と、少なくとも１つの第１のメトリックを第１の受信パスで受信された信号に基づいて、少なくとも１つの第２のメトリックをアクティブ化された第２の受信パスで受信された信号基づいて決定するための命令と、第２のメトリックが第１のメトリックよりも良い場合、アンテナの第２のセットから受信された信号を処理するために、第１の受信パスを非アクティブ化し、第２の受信パスを動作するための命令と、第２のメトリックが第１のメトリックよりも良くない場合、第２の受信パスを非アクティブ化するための命令とを含む。
【図面の簡単な説明】
【００１６】
上に記載された本開示の特徴が詳細に理解され得るために、上に簡潔に要約された内容のより特定な記述は、いくつかが添付の図に示される態様を引用して記載されうる。しかしながら、添付の図面は本開示の特定の典型的な態様しか例示しておらず、この記述が別の同等に効率的な態様に対しても認められうるため、その範囲を限定するものとみなされるべきではないことに注意されたい。
【図１】図１は、本開示の特定の態様に従い、ワイヤレス通信ネットワークの図を示す。
【図２】図２は、本開示の特定の態様に従い、例示的なアクセスポイント（ＡＰ）およびユーザ端末のブロック図を示す。
【図３】図３は、本開示の特定の態様に従い、受信ダイバーシティのための異なる受信チェーンをアクティブ化／非アクティブ化することによって受信アンテナの異なるセットをプローブする（probe）ための例示的な動作を示す。
【図３Ａ】図３Ａは、図３の動作を行うための例示的な手段を示す。
【図４】図４は、本開示の特定の態様に従い、フロントエンドでアンテナ選択を用いて受信ダイバーシティを達成するためのワイヤレス・トランシーバ・フロントエンド・アーキテクチャのブロック図を示す。
【図５】図５は、本開示の特定の態様に従い、フロントエンドでアンテナ選択を用いて受信ダイバーシティを達成するためのワイヤレス・トランシーバ・フロントエンド・アーキテクチャのブロック図を示す。
【図６】図６は、本開示の特定の態様に従い、フロントエンドというよりはむしろベースバンドでアンテナ選択を用いて受信ダイバーシティを達成するためのワイヤレス・トランシーバ・フロントエンド・アーキテクチャのブロック図を示す。
【図７】図７は、本開示の特定の態様に従い、ベースバンドにアンテナ選択を備えた図６のトランシーバ・アーキテクチャの２つの受信パスを詳述するブロック図を示す。
【図８】図８は、本開示の特定の態様に従い、図６のトランシーバ・アーキテクチャにおいて複数のアンテナから受信される信号を結合するか、あるいは、それらの中から選択するためのブロック図を示す。
【図９】図９は、本開示の特定の態様に従い、複数のトランシーバチャネルを形成するために複製された図６のアーキテクチャ、および、各アンテナとチャネルのうちの１つとの間で信号を指揮するためのスイッチプレクサを備えた、受信ダイバーシティを達成するためのワイヤレス・トランシーバ・フロントエンド・アーキテクチャのブロック図を示す。
【図１０】図１０は、本開示の特定の態様に従い、複数のトランシーバチャネル、および、各アンテナと３つのチャネルのうちの１つとの間で信号を指揮するためのスイッチプレクサを備えた、送信ダイバーシティを達成するためのワイヤレス・トランシーバ・フロントエンド・アーキテクチャのブロック図を示す。
【図１１】図１１は、本開示の特定の態様に従い、複数のトランシーバチャネルを形成するために複製された図６のアーキテクチャと、並列または交差構成のアンテナを選択するための交差スイッチと、交差スイッチの各出力と３つのチャネルのうちの１つとの間で信号を指揮するためのスイッチプレクサと備えた受信ダイバーシティと送信ダイバーシティとの組み合わせを達成するためのワイヤレス・トランシーバ・フロントエンド・アーキテクチャのブロック図を示す。
【図１２】図１２は、本開示の態様に従い、アップリンクとダウンリンクとの間に独立アンテナ選択を用いる送信ダイバーシティと受信ダイバーシティとの組み合わせのための交差スイッチが追加された、図７のトランシーバ・アーキテクチャのための２つの受信パスのブロック図を示す。
【図１３】図１３は、本開示の態様に従い、送信ダイバーシティと受信ダイバーシティの両方をサポートするトランシーバにおいて、送信機（Ｔｘ）が受信（Ｒｘ）から独立してアンテナ選択を行えるようにするための例示的な動作を示す。
【図１３Ａ】図１３Ａは、図１３の動作を行うための例示的な手段を示す。
【発明を実施するための形態】
【００１７】
本開示の様々な態様が以下に記述される。本明細書の教示が多種多様な形態で組み込まれうること、および、本明細書に開示されているあらゆる特定の構造、機能、または、両方が単なる例であることは明らかであるべきである。本明細書の教示に基づいて、当業者は、本明細書に開示される態様が、あらゆる別の態様とは独立して実施されうること、および、これらの態様の２つ以上が様々な方法で組み合わせられうることを認識するであろう。例えば、本明細書に示される任意の数の態様を使用して、装置が実装され、あるいは、方法が実施されうる。加えて、本明細書に示される１または複数の態様に加えて、あるいは、それらを除いて、他の構造、機能性、または、構造と機能性を使用して、そのような装置は実装され、あるいは、方法は実施されうる。さらに、態様は、請求項の少なくとも１つのエレメントを備えうる。
【００１８】
「例示的」という用語は、本明細書において、「実例、例示、例証として機能すること」を意味するために使用される。「例示的」として本明細書に記述される任意の態様は、他の設計より好ましいあるいは有利であると必ずしも解釈されるわけではない。
【００１９】
本明細書に記述されるアンテナダイバーシティ技術は、符号分割多元接続（ＣＭＤＡ）、直交周波数分割多重（ＯＦＤＭ）、時分割多元接続（ＴＤＭＡ）、空間分割多元接続（ＳＤＭＡ）などの様々なワイヤレステクノロジと組み合わせて使用されうる。複数のユーザ端末は、（１）ＣＤＭＡに対して直異なる交符号チャネルを、（２）ＴＤＭＡに対して異なる時間スロットを、あるいは、（３）ＯＦＤＭに対して異なるサブ帯域を介してデータを同時に送信／受信することができる。ＣＤＭＡシステムは、ＩＳ−２０００、ＩＳ−９５、ＩＳ−８５６、広域ＣＤＭＡ（Ｗ−ＣＤＭＡ）、あるいは、いくつかの別の規格を実施しうる。ＯＦＤＭＡシステムは、ＩＥＥＥ（Institute of Electrical and Electronics Engineers）８０２．１１、ＩＥＥＥ ８０２．１６、ロングタイムエボリューション（ＬＴＥ）、あるいは、いくつかの別の規格を実施しうる。ＴＤＭＡシステムは、ＧＳＭ（登録商標）またはいくつかの別の規格を実施しうる。これら様々な規格は、当技術分野において知られている。
【００２０】
例示的なワイヤレスシステム  
図１は、アクセスポイントおよびユーザ端末を有するワイヤレス通信システム１００を示す。簡潔さのために、図１には１つのアクセスポイント１１０しか示されない。アクセスポイント（ＡＰ）は、一般的に、ユーザ端末と通信する固定局であり、基地局、または、他の用語でも呼ばれうる。ユーザ端末は、固定式または稼動式であり、移動局、局（ＳＴＡ）、クライアント、ワイヤレスデバイス、あるいは、他の用語でも呼ばれうる。ユーザ端末は、セルラ電話、携帯情報端末（ＰＤＡ）、ハンドヘルドデバイス、ワイヤレスモデム、ラップトップコンピュータ、パーソナルコンピュータなどのワイヤレスデバイスでありうる。
【００２１】
アクセスポイント１１０は、ダウンリンクおよびアップリンク上で任意の所与の時間に１または複数のユーザ端末１２０と通信しうる。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末は、さらに、別のユーザ端末とピア・ツー・ピアで通信しうる。システムコントローラ１３０は、アクセスポイントに結合され、それに対して協調と制御を提供する。
【００２２】
システム１００は、ダウンリンクおよびアップリンク上でのデータ伝送のために複数の送信アンテナと複数の受信アンテナを用いる。アクセスポイント１１０は、ダウンリンク伝送のための送信ダイバーシティおよび／またはアップリンク伝送のための受信ダイバーシティを達成するために、多数（Ｎａｐ個）のアンテナを備えうる。選択されたユーザ端末１２０のセット（Ｎｕ個）は、ダウンリンク伝送を受信し、アップリンク伝送を送信うる。選択されたユーザ端末の各々は、アクセスポイントにユーザ固有データを送信し、および／または、アクセスポイントからユーザ固有データを受信する。一般的に、選択されたユーザ端末の各々は、１または複数（すなわちＮｕｔ≧１）のアンテナを備えうる。Ｎｕ個の選択されたユーザ端末は、同数または異なる数のアンテナを有しうる。
【００２３】
ワイヤレスシステム１００は、時分割複信（ＴＤＤ）システムまたは周波数分割複信（ＦＤＤ）システムでありうる。ＴＤＤシステムの場合、ダウンリンクおよびアップリンクは、同じ周波数帯域を共有する。ＦＤＤシステムの場合、ダウンリンクおよびアップリンクは、異なる周波数帯域を使用する。システム１００は、さらに、伝送のために単一のキャリアまたは複数のキャリアを利用しうる。各ユーザ端末は、単一のアンテナ（例えば、低コストを維持するために）、あるいは、複数のアンテナ（例えば、さらなるコストがサポートされうる場合）を備えうる。
【００２４】
図２は、ワイヤレスシステム１００におけるアクセスポイント１１０と２つのユーザ端末１２０ｍおよび１２０ｘとのブロック図を示す。アクセスポイント１１０は、Ｎａｐ個のアンテナ２２４ａ〜２２４ａｐを備える。ユーザ端末１２０ｍは、Ｎｕｔ,ｍ個のアンテナ２５２ｍａ〜２５２ｍｕを備え、ユーザ端末１２０ｘは、Ｎｕｔ,ｘ個のアンテナ２５２ｘａ〜２５２ｘｕを備える。アクセスポイント１１０は、ダウンリンクの場合に送信側エンティティであり、アップリンクの場合に受信側エンティティである。各ユーザ端末１２０は、アップリンクの場合に送信側エンティティであり、ダウンリンクの場合に受信側エンティティである。本明細書で使用される場合、「送信側エンティティ（transmitting entity）」とは、周波数チャネルを介してデータを送信可能な独立して動作される装置またはデバイスであり、「受信側エンティティ（receiving entity）」とは、周波数チャネルを介してデータを受信可能な独立して動作される装置またはデバイスである。下の記述において、下付き文字「ｄｎ」はダウンリンクを表し、下付き文字「ｕｐ」はアップリンクを表し、Ｎｕｐ個のユーザ端末は、アップリンク上での同時送信のために選択され、Ｎｄｎ個のユーザ端末は、ダウンリンク上での同時送信のために選択され、ＮｕｐはＮｄｎに等しいか等しくない可能性があり、ＮｕｐおよびＮｄｎは、静的値でありうるか、スケジューリングインターバルごとに変化しうる。ビームステアリング、または、他の空間処理技術が、アクセスポイントおよびユーザ端末において使用されうる。
【００２５】
アップリンク上で、アップリンク伝送のために選択された各ユーザ端末１２０において、ＴＸデータプロセッサ２８８は、データソース２８６からトラフィックデータを、コントローラ２８０から制御データを受信する。ＴＸデータプロセッサ２８８は、ユーザ端末に対して選択されたレートと関連付けられたコード化および変調スキームに基づいて、そのユーザ端末のトラフィックデータ｛ｄｕｐ｝を処理（例えば、符号化、インタリーブ、変調）し、Ｎｕｔ,ｍ個のアンテナのうちの１つにデータシンボルストリーム｛ｓｕｐ｝を提供する。トランシーバ・フロントエンド（ＴＸ／ＲＸ）２５４は、それぞれのシンボルストリームを受信および処理（例えば、アナログ変換、増幅、フィルタリング、周波数アップコンバート）し、アップリンク信号を生成する。トランシーバ・フロントエンド２５４は、さらに、例えば、ＲＦスイッチを介して、送信ダイバーシティのためのＮｕｔ,ｍ個のアンテナのうちの１つにアップリンク信号をルーティングしうる。コントローラ２８０は、トランシーバ・フロントエンド２５４内でこのルーティングを制御しうる。
【００２６】
多数（Ｎｕｐ個）のユーザ端末が、アップリンク上での同時送信のためにスケジューリングされうる。これらのユーザ端末の各々は、アップリンク上で処理済みシンボルストリームのセットをアクセスポイントに送信する。
【００２７】
アクセスポイント１１０において、Ｎａｐ個のアンテナ２２４ａ〜２２４ａｐは、アップリンク上で送信するＮｕｐ個全てのユーザ端末からアップリンク信号を受信する。受信ダイバーシティについて、トランシーバ・フロントエンド２２２は、処理するために、アンテナ２２４のうちの１つから受信された信号を選択しうる。本開示の特定の態様について、複数のアンテナ２２４から受信された信号の組み合わせは、エンハンスド受信ダイバーシティのために結合されうる。アクセスポイントのトランシーバ・フロントエンド２２２は、さらに、ユーザ端末のトランシーバ・フロントエンド２５４によって行われた処理に相補的な処理を行い、復元されたアップリンクデータシンボルストリームを提供する。復元されたアップリンクデータシンボルストリームは、ユーザ端末が送信したデータシンボルストリーム｛ｓｕｐ｝の推定値である。ＲＸデータプロセッサ２４２は、復元されたアップリンクデータストリームを、そのストリームに使用されたレートに従って処理（例えば、復調、デインタリーブ、復号）し、復号データを取得する。各ユーザ端末についての復号データは、記憶のためにデータシンク２４４に、および／または、さらなる処理のためにコントローラ２３０に提供されうる。
【００２８】
ダウンリンク上で、アクセスポイント１１０において、ＴＸデータプロセッサ２１０は、ダウンリンク伝送に対してスケジューリングされたＮｄｎ個のユーザ端末のためにデータソース２０８からトラフィックデータを、コントローラ２３０から制御データを、場合によってはスケジューラ２３４から別のデータを受信する。様々なタイプのデータが、異なる転送チャネル上で送られうる。ＴＸデータプロセッサ２１０は、各ユーザ端末についてのトラフィックデータを、そのユーザ端末に対して選択されたレートに基づいて処理（例えば、符号化、インタリーブ、変調）する。ＴＸデータプロセッサ２１０は、Ｎａｐ個のアンテナのうちの１つから送信されるべきダウンリンクデータシンボルストリームをＮｄｎ個のユーザ端末のうちの１つまたは複数に提供しうる。トランシーバ・フロントエンド２２２は、シンボルストリームを受信および処理（例えば、アナログ変換、増幅、フィルタリング、周波数アップコンバート）し、ダウンリンク信号を生成する。トランシーバ・フロントエンド２２２は、さらに、例えば送信ダイバーシティのために、ＲＦスイッチを介して１または複数のＮａｐアンテナ２２４にダウンリンク信号をルーティングしうる。コントローラ２３０は、トランシーバ・フロントエンド２２２内でこのルーティングを制御しうる。
【００２９】
各ユーザ端末１２０において、Ｎｕｔ,ｍ個のアンテナ２５２は、アクセスポイント１１０からダウンリンク信号を受信する。ユーザ端末１２０での受信ダイバーシティのために、トランシーバ・フロントエンド２５４は、処理するために、アンテナ２５２のうちの１つから受信される信号を選択しうる。本開示の特定の態様について、複数のアンテナ２５２から受信される信号の組み合わせは、エンハンスド受信ダイバーシティを結合されうる。ユーザ端末のトランシーバ・フロントエンド２５４は、さらに、アクセスポイントのトランシーバ・フロントエンド２２２によって行われる処理に相補的な処理を実行し、復元されたダウンリンクデータシンボルストリームを提供する。ＲＸデータプロセッサ２７０は、復元されたダウンリンクデータシンボルストリームを処理（例えば、復調、デインタリーブ、復号）し、ユーザ端末のために復号データを取得する。
【００３０】
当業者は、本明細書に記述された技術が、一般的に、ＳＤＭＡ、ＯＦＤＭＡ、ＣＤＭＡ、ＳＤＭＡ、および、それらの組み合わせのといったあらゆるタイプの多元接続スキームを利用するシステムに適用されうることを認識するであろう。
【００３１】
例示的な動的アンテナ割付  
図４は、フロントエンドでアンテナ選択を用いて受信ダイバーシティを達成するためのワイヤレス・トランシーバ・フロントエンド・アーキテクチャのブロック図４００を示す。図４（および他の図）には２つのアンテナＡＮＴ０ ４０２０およびＡＮＴ１ ４０２１しか示されていないが、本開示全体を通して提供される例示的なアーキテクチャは、２つよりも多くの数のアンテナを含む場合まで拡張されうる。無線周波数（ＲＦ）スイッチ４０４は、信号を送信、および受信するために、アンテナ４０２から選択しうる。デュプレクサ４０６（または、デュプレクシング・アセンブリ）により、送信パス４０８（「Ｔｘ」で表される）および受信パス４１０（「Ｒｘ」で表される）は、スイッチ４０４によって選択された共通アンテナ４０２を共有することができる。本明細書で使用される場合、デュプレクサは、一般的に、送信機および受信機の両方に対して同一のアンテナを交互に使用することで単一のチャネル上での双方向通信を可能にするスイッチングデバイスを指す。受信について、デュプレクサ４０６から出力された受信信号は、受信パス４１０の残りの部分によって処理される前に、低ノイズ増幅器（ＬＮＡ）４１２によって増幅されうる。送信パス４０８はＡＮＴ０またはＡＮＴ１のどちらでも信号を送信できるため、図４のフロントエンド・アーキテクチャは送信ダイバーシティも達成する。
【００３２】
図５は、フロントエンドでアンテナ選択を用いて受信ダイバーシティを達成するための異なるワイヤレス・トランシーバ・フロントエンド・アーキテクチャのブロック図５００を示す。図５において、送信パス４０８は、送信フィルタ５０２を介してＡＮＴ０上でのみ信号を送信するが、この送信パスは、ＡＮＴ１上で信号を送信することはできない。送信フィルタ５０２は、ＡＮＴ０上で受信された信号が送信パスに入らないようにし、さらに重要なことに、送信パスの高電力信号がより低い電力の受信信号と干渉しないようにする。同様に、スイッチ４０４により選択されたアンテナ４０２によって受信された信号は、受信パス４１０のＬＮＡ４１２によって増幅される前に、受信フィルタ５０４によってフィルタリングされうる。受信フィルタ５０４は、送信パスの高電力信号が、アンテナ４０２によってワイヤレスで受信されるより低い電力の信号と干渉しないようにし、興味のある周波数帯域内の受信信号だけが受信パス４１０によって処理されることを確実にする。
【００３３】
送信フィルタ５０２および／または受信フィルタ５０４には、弾性表面波（ＳＡＷ）フィルタが埋め込まれうる。本明細書で定義されるように、ＳＡＷフィルタは、一般的に、圧電効果を使用して、所望の周波数範囲で電子信号へと戻される機械的振動に入力電子信号を変換する半導体デバイスを指す。この方法で、ＳＡＷフィルタは、望まれない周波数をフィルタリング除去する。
【００３４】
図４および５のフロントエンド・アーキテクチャは、受信ダイバーシティを提供するが、受信パス４１０は、フロントエンドが２つのアンテナ４０２からの選択を決定するためにプローブしている場合に不連続性を経験しうる。さらに、ＲＦスイッチ４０４は、約０．５ｄＢの挿入損を有する可能性があり、それは、感度の減少につながる。図４のフロントエンド・アーキテクチャにおいて、増大した受信ＳＮＲに対して選ばれたアンテナ４０２がより低い効率を有する場合、送信電力が失われうる。
【００３５】
従って、受信ダイバーシティを提供する一方で、図４および５のフロントエンド・アーキテクチャの問題および制限を克服する技術および装置が必要である。
【００３６】
図６は、フロントエンドというよりはむしろベースバンドでのアンテナ選択を用いて受信ダイバーシティを達成するためのワイヤレス・トランシーバ・フロントエンド・アーキテクチャのブロック図６００を示す。図６では、ＲＦスイッチは使用されない。むしろ、２つの受信パス４１００、４１０１が用いられる。デュプレクサ４０６により、送信パス４０８、および、第１のＬＮＡ ４１２０を含む第１の受信パス４１００はアンテナＡＮＴ０を共有することができる。受信フィルタ５０４は、第２のＬＮＡ４１２１を含む第２の受信パス４１０１に到達する前に、アンテナＡＮＴ１によって受信された信号内の望まれない周波数をフィルタリング除去しうる。
【００３７】
図６のフロントエンド・アーキテクチャの場合、受信ダイバーシティは、図４および５のフロントエンド・アーキテクチャ以上の性能利得と共に達成されうる。挿入損を引き起こすスイッチがないため、感度は、図４および５のフロントエンド・アーキテクチャの感度よりも大きくありうる。さらに、受信パス４１０のプローブおよび選択がベースバンドで発生するため、処理信号において連続性は失われない。換言すると、非選択受信パスは、選択受信パスが動作している間にプローブされうる。さらに、選択がベースバンドで生じるため、スイッチンググリッチ（switching glitch）は回避されうる。特定の受信パス４１０を収束の後にだけ使用することによって、デジタルに処理された信号の受信におけるプローブギャップは存在せず、それは、連続性の損失が無いこと（すなわち、受信不連続性が無いこと）を意味する。最後に、特に、ＲＦスイッチの金銭的な価格と、性能を犠牲にする後続の挿入損と比較された場合、さらなる受信パスのコストはごくわずかでありうる。
【００３８】
図７は、図６のトランシーバ・アーキテクチャの２つの受信パス４１０を示す例示的なブロック図７００を詳細に示す。受信されたＲＦ信号がＬＮＡ ４１２によって増幅された後、この増幅信号は、ミキサ７１４によって局部発振器信号（ＲｘＬＯ）７１３と混合され、この信号を中間周波数（ＩＦ）に典型的にダウンコンバートする。混合信号は、アナログ／デジタル変換器（ＡＤＣ）７１８によってデジタル化される（すなわち、デジタルドメインに変換される）前に、アンチエイリアス処理フィルタ（ＡＡＦ）７１６によってフィルタに掛けられうる。デジタル信号処理は、最終的に、アンテナ４０２で受信された信号から受信された情報が抽出される前に、１または複数のデジタルフィルタ（ＤＦ）７２０、自動利得補償（ＡＧＣ）ブロック７２２、復調器７２４でデジタル信号を処理することを含みうる。
【００３９】
点線７２６は、点線７２６の下のブロックが１または複数の集積回路（ＩＣ）に組み込まれ、点線７２６の上のアイテムがＩＣの外に存在するか、ユーザ端末１２０（またはアクセスポイント１１０）のプリント基板（ＰＣＢ）上に配置されるようなチップ境界を表しうる。点線７２８は、点線７２８の上のコンポーネントがＲＦドメインで動作し、点線７２８の下のアイテムがベースバンドドメインで動作するような、ＲＦアナログドメインとベースバンドドメインとの間の境界を表しうる。
【００４０】
動作において、受信パスの１つ（例えば、４１００）は、選択受信パス（すなわち、プライマリパス）であり、ＡＮＴ０で受信された信号は、この受信信号から情報を抽出する目的で、受信パス４１００を通して処理されうる。選択受信パス４１００が動作している間、非選択受信パス（例えば、４１０１）は、ＡＮＴ１で受信された信号をプローブする目的で一時的にアクティブ化されうる。この一時的なアクティブ化は、周期的に、非周期的なインターバルで反復的に、あるいは、断続的に発生しうる。しかしながら、両方の受信パスの一時的なアクティブ化は、それが特定の態様に対する別の可能性として行われうるとはいえ、２つの受信パス４１０からの情報を結合することを含む受信ダイバーシティスキームと混同されるべきではない。むしろ、各受信パス４１０上のノイズ（および／または干渉）が測定され、各受信パスのＳＮＲの測定（またはＳＩＮＲ）が計算されうる。特定の態様について、この計算は、チャネル品質インジケータ（ＣＱＩ）の決定を備えうる。
【００４１】
現在の選択受信パス（すなわち、プライマリパス）４１００が、現在の非選択パス４１０１よりも低いノイズ（例えば、より高いＳＮＲまたはより良いＣＱＩ）を有しているとみなされる場合、受信パス４１００はプライマリパスとしてアクティブ化されたままでありうる。しかしながら、現在の非選択受信パス（すなわち、セカンダリパス）４１０１が現在の選択パス４１００よりも低いノイズ（例えば、より高いＳＮＲまたはより良いＣＱＩ）を有していると見なされる場合、受信パス４１００は非アクティブ化され、以前の非選択パス４１０１が、少なくとも特定の滞留期間（dwelling period）（たとえば、１０個以上のフレーム）の間、選択受信パスとしてアクティブ化されうる。このスワップ（swap）が発生すると、少なくとも、プローブ目的で非選択受信パス４１００を一時的にアクティブ化することにより受信パス４１００がより低いノイズを有していると再度決定されるまで、ＡＮＴ１で受信された信号は、この受信信号から情報を抽出するために受信パス４１０１を通して処理されうる。
【００４２】
例えば、完全な（full）最小平均二乗誤差（ＭＭＳＥ）受信ダイバーシティを行う間、ＡＮＴ０およびＡＮＴ１に対して別々のＣＱＩが計算されうる。現在の選択受信パスに対するＣＱＩが、所望の性能レベルを維持することに適応している場合、もう一方の受信パスは非アクティブ化されうる。別の例として、プライマリ受信信号（Ｐｒｘ）を受信する間、ダイバーシティ受信信号（Ｄｒｘ）に対するＣＱＩも測定されうる。Ｄｒｘに対するＣＱＩがＰｒｘに対するＣＱＩよりも良い場合、Ｄｒｘの受信パスが選択され、続いてＰｒｘの受信パスが非アクティブ化されうる。
【００４３】
特定の態様について、非選択受信パスが、増大したシステム安定性を提供する目的で新しい選択受信パスとして選択される前に、現在の非選択受信パスのＳＮＲ（または、別のメトリック）は、少なくとも特定量（すなわち、閾値）だけ現在の選択受信パスのＳＮＲよりも高い（または、別の対応メトリックよりもそのメトリックに依存して高いまたは低い）必要がありうる。
【００４４】
非選択受信パスの一時的なアクティブ化の間、ＡＧＣブロック７２２、デジタルフィルタ７２０、および、フロントエンド・アーキテクチャ内の別のコンポーネントは、非選択受信パス上のノイズを決定する前に、処理された信号が収束するのに十分な修正時間を提供される可能性が最も高い。収束後までノイズの測定を待つことによって、現時の非選択受信パスが、現在の選択受信パスよりも低いノイズを有するとみなされる時は常に、現在の非選択受信パスは、排他的な受信のための新しい選択受信パスとして安全且つ迅速に信頼されうる。この方法において、受信パスのスワップは、任意のグリッチ、または、連続性の別の損失なく発生しうる。さらに、プローブ目的の受信にはギャップが存在しない。
【００４５】
特定の態様について、非選択受信パスの一時的なアクティブ化は、全ての利用可能なアンテナまたはそれの任意のサブセットを含みうる。特定の態様について、非選択受信パスの一時的なアクティブ化およびプローブは、現在の選択受信パス上での受信を継続する間に発生しうる。特定の態様について、受信ために受信パスのうちの１つを選択することに関して決定を下すために受信パス４１０をプローブする間または後に決定される１または複数のメトリックは、性能関連（例えば、ＣＱＩ、ＳＮＲ、信号対干渉およびノイズ比（ＳＩＮＲ）、ビット誤り率（ＢＥＲ）、ブロック誤り率（ＢＬＥＲ）、非ドロップ呼出（non-dropped call）、および／または、データレート（スループット））であり、ユーザ端末１２０についてのリソース（例えば、ヒートまたはバッテリ電力）の利用性またはコストに関係があり、アクセス端末１１０についてのリソース（例えば、ダウンリンク送信電力）の利用性またはコストに関係があり、ネットワークについてのリソース（例えば、ネットワーク容量）の利用性またはコストに関係があり、あるいは、それらの任意の組み合わせに関係がある。
【００４６】
メトリックの組み合わせは、性能に関して、より高いユーザ満足度を産出しうる。例えば、エネルギー認識適応アクティブ化（または非アクティブ化）受信ダイバーシティ（例えば、両方の受信パス４１０をオン状態にすること）は、性能を増やすだけではなく、ユーザにとって純粋な性能自体よりも重要であることが多い性能対電力消費トレードオフも高める。
【００４７】
本開示の特定の態様について、受信ダイバーシティのためのアンテナの候補セットのプローブ（「サウンディング」）は、ユーザ端末（またはアクセスポイント）によって行われる別の測定と干渉しない時間インターバルの間に適切にスケジューリングされうる。換言すると、プローブは、受信の直接的な業務と関連性のない異常なイベントと干渉する必要がない。例えば、プローブは、ＵＭＴＳにおいて、圧縮モード、ＲＡＴ間（無線アクセステクノロジ）測定などの間にスケジューリングされない可能性がある。例えば、圧縮モードは、プライマリアンテナ上で（すなわち、受信パス４１００を使用して）受信した場合にのみスケジューリングされうる可能性が最も高い。
【００４８】
図８に示されるように、上に記述された図６のトランシーバ・アーキテクチャにおける各受信パス４１０は、１または複数のアンテナ４０２と関連付けられうる。単一の受信パス４１０が、１つよりも多くのアンテナから信号を受信する場合、ＲＦセレクタ／結合器８０２は、受信パス４１０においてアンテナ４０２をデュプレクサ４０６あるいは受信フィルタ５０４と接続しうる。セレクタ／結合器８０２は、受信するためにアンテナ４０２のうちの１つを選択するように機能するか、あるいは、さらなるダイバーシティを取得するために複数のアンテナからの受信されたＲＦ信号を結合しうる。
【００４９】
例えば、トランシーバが選択受信パス４１００と動作している間、非選択パス４１０１は、この受信パスと関連付けられたアンテナ４０２１,ａ、４０２１,ｂの様々な可能な構成の１または複数を使用して、（上に記述されたノイズのような１または複数のメトリックを測定することによって）プローブされうる。例えば、メトリックは、アンテナ４０２１,ａによって受信された信号だけを用い、次に、アンテナ４０２１,ｂによって受信された信号だけを用い、次に、アンテナ４０２１,ａ、４０２１,ｂの両方から受信され、セレクタ／結合器８０２によって結合された信号を用いて測定されうる。次に、アンテナ４０２１,ａ、４０２１,ｂの３つの構成のうちのいずれかについての非選択受信パス４１０１のメトリック（例えば、ＳＮＲ）が、現在の選択受信パス４１００上で使用されているアンテナ構成（あるいは、特定の態様において、全ての可能なアンテナ構成）よりも良い場合、非選択受信パス４１０１が、最良のメトリックを生じさせる可能性が最も高い、アンテナ４０２１,ａ、４０２１,ｂの３つの可能な構成のうちの１つのアンテナ構成を有する排他的受信のための新しい選択受信パスとなりうる。
【００５０】
図３は、受信ダイバーシティのために異なる受信チェーンをアクティブ化／非アクティブ化することによって受信アンテナの異なるセットをプローブするための例示的な動作３００を示す。動作３００は、例えば、ユーザ端末１２０またはアクセスポイント１１０によって行われうる。動作３００は、３０２において、１または複数のアンテナの第１のセット（例えば、図８の第１の受信パス４１００に結合された３つのアンテナ４０２）から信号を受信するように構成された第１の受信パス（例えば、受信パス４１００）を動作することによって開始し、アンテナの第１のセットから受信された信号を処理しうる。受信ダイバーシティのための第２の受信パス（例えば、受信パス４１０１）は、１または複数のアンテナの第２のセット（例えば、アンテナ４０２１,ａ、４０２１,ｂ）から信号を受信するように構成されうる。３０２において、第２の受信パスは、非アクティブ化されうる。アンテナの第１のセットは、アンテナの第２のセットとは異なる。
【００５１】
３０４において、第２の受信パスは、非アクティブ化されうる。３０６において、第１の受信パスで受信された信号に基づいて少なくとも１つの第１のメトリックが決定され、アクティブ化された第２の受信パスで受信された信号に基づいて、少なくとも１つの第２のメトリックが決定されうる。
【００５２】
３０８において、第２のメトリックが、第１のメトリックよりも良い場合（例えば、第２のＳＮＲが第１のＳＮＲよりも高い場合）、３１０において、第１の受信パスが非アクティブ化され、第２の受信パスが、アンテナの第２のセットから受信された信号を処理するように動作されうる。しかしながら、第２のメトリックが第１のメトリックよりも良くない場合、３１４において第２のパスが非アクティブ化されうる。
【００５３】
特定の態様について、第１および第２の受信パスで受信された信号の組み合わせに基づいて少なくとも１つの第３のメトリックが決定されうる。第３のメトリックが第１および第２のメトリックよりも良い場合、第１および第２の受信パスが、アンテナの第１および第２のセットから受信された信号を処理するように動作されうる。しかしながら、第３のメトリックが第１および第２のメトリックよりも良くない場合、第２の受信パスが非アクティブ化されうる。
【００５４】
アップリンクおよびダウンリンクに対する独立アンテナスイッチングを備えた例示的なＩＲＤとＭＴＤとの組み合わせ  
図６のトランシーバ・アーキテクチャから発展する、図９は、複数のトランシーバチャネル９０２を形成するために複製された図６のアーキテクチャ、および、各アンテナ４０２とチャネル９０２のうちの１つとの間で信号を指示するためのスイッチプレクサ９０４を備えた、受信ダイバーシティを達成するためのワイヤレス・トランシーバ・フロントエンド・アーキテクチャのブロック図９００を示す。図９には２つのアンテナ４０２および３つのトランシーバチャネル９０２が示されているが、本明細書に記述されるアイデアは、任意の数のアンテナおよび任意の数のトランシーバチャネルに拡張されうる。さらに、いくつかの態様の場合、スイッチプレクサ９０４内蔵のスイッチは、異なるトランシーバチャネル９０２から選択するために共に動き、別の態様の場合、このスイッチは、異なるチャネル９０２よりはむしろ異なる受信パス４１０が選択されうるように独立して動きうる。図９は、さらに、ＡＮＴ０を介して送信されるべき信号を増幅するために、送信パス４０８の各々の電力増幅器（ＰＡ）９０６を示す。セクション９０８は、１または複数のＩＣ内の回路ブロックを表し、セクション９１０は、プリンタ基板（ＰＣＢ）上に配置された回路のような、ＩＣの外側に存在するコンポーネントを表しうる。
【００５５】
図９において、送信にパス４０８は、ＡＮＴ０上でのみ信号を送信しうるため、アンテナについての送信ダイバーシティは存在しない。しかしながら、ＡＮＴ０あるいはＡＮＴ１のいずれかで受信される信号は、様々な受信パス４１０によって処理され、それにより、受信ダイバーシティを提供する。例えば、ＡＮＴ０上で受信された信号は、３つの受信パス４１００のうちの１つによって処理されるのに対して、ＡＮＴ１上で受信された信号は、３つの受信パス４１０１のうちの１つによって処理されうる。
【００５６】
図１０は、複数のトランシーバチャネル１００２、および、各アンテナと３つのチャネルのうちの１つとの間で信号を指揮するためのスイッチプレクサ９０４を備えた送信ダイバーシティを達成するためのワイヤレス・トランシーバ・フロントエンド・アーキテクチャのブロック図１０００を示す。図１０の各トランシーバチャネル１００２について、スイッチ１００４（例えば、単極双投（ＳＰＤＴ）スイッチ）は、電力増幅器（ＰＡ）９０６によって生成される出力信号がスイッチプレクサ９０４を介してアンテナＡＮＴ０またはＡＮＴ１のうちの１つに送られうる２つのデュプレクサ４０６のうちの１つを選択しうる。この方法において、送信ダイバーシティは達成されうる。しかしながら、各受信パス４１０は単一のアンテナからのみ信号を受信しうるため、図１０のアーキテクチャは、アンテナ選択についての受信ダイバーシティを達成しない。
【００５７】
上に記述されたワイヤレス・トランシーバ・フロントエンド・アーキテクチャ並びにアンテナダイバーシティを備える従来のフロントエンド・アーキテクチャにおいて、アンテナ間のスイッチングは、典型的に、送信パスがスイッチする度に受信パスもスイッチさせ、逆もまた同様である。しかしながら、受信パス（Ｒｘ）性能（例えば、ＳＩＮＲに基づく）は、必ずしも、送信パス（Ｔｘ）性能が最大化される場合に最大化されるわけではなく、逆もまた同様である。送信パスにおける最良の性能のためにアンテナを選択することによって、受信パス性能は損害を被る可能性があり、逆もまた同様である。さらに、受信用の１つのアンテナと送信用の別のアンテナとをスイッチすることによって、スイッチンググリッチが少なくとも受信パスに導入される可能性が最も高くなりうる。
【００５８】
従って、送信することと受信することとの間で（例えば、アップリンク伝送とダウンリンク伝送との間で）独立アンテナ選択のための技術および装置が必要である。理想的に、そのようなソリューションは、受信ダイバーシティと送信ダイバーシティとの組み合わせを備えたトランシーバで有効であり、任意のスイッチンググリッチを引き起こさないであろう。
【００５９】
図１１は、送信および受信に対して独立アンテナ選択を用いて受信ダイバーシティと送信ダイバーシティとの組み合わせを達成するためのワイヤレス・トランシーバ・フロントエンド・アーキテクチャのブロック図１１００を示す。図１１のアーキテクチャは、図９のアーキテクチャに類似しているが、アンテナ４０２とスイッチプレクサ９０４との間に交差スイッチ１１０２が追加されている。
【００６０】
交差スイッチ１１０２は、４つの接点間で並列（＝）構成と交差（Ｘ）構成とをスイッチしうる。例として、２つのアンテナを２入力スイッチプレクサ（あるいは、２つの独立したスイッチプレクサ）にリンクする交差スイッチについて４つの接点しか示されていないが、本明細書に記述される構想は、別の交差スイッチ構造に拡張されうる。交差スイッチ１１０２が並列構成の場合、ＡＮＴ０は、各トランシーバチャネル９０２内のデュプレクサ４０６、送信パス４０８、受信パス４１００に結合され、ＡＮＴ１は、各トランシーバチャネル９０２内の受信フィルタ５０４および受信パス４１０１に結合されうる。交差スイッチ１１０２が交差構造の場合、ＡＮＴ１は、各トランシーバチャネル９０２内のデュプレクサ４０６、送信パス４０８、受信パス４１００に結合され、ＡＮＴ０は、各トランシーバチャネル９０２内の受信フィルタ５０４および受信パス４１０１に結合されうる。
【００６１】
交差スイッチ１１０２の場合、送信パス４０８は、ＡＮＴ０（並列構成）またはＡＮＴ１（交差構成）のどちらでも信号を送信することができ、それによって、送信ダイバーシティを達成しうる。さらに、受信パス４１００は、ＡＮＴ０（並列構成）またはＡＮＴ１（交差構成）のどちらでも信号を受信することができ、それによって、受信ダイバーシティを達成しうる。同様に、受信パス４１０１は、ＡＮＴ１（並列構成）またはＡＮＴ０（交差構成）のどちらでも信号を受信することができ、同様に、受信ダイバーシティを達成しうる。従って、図１１のフロントエンド・アーキテクチャは、送信ダイバーシティ（より具体的には、アンテナスイッチ送信ダイバーシティ）および受信ダイバーシティの両方をサポートし、送信のためのアンテナ（例えば、アップリンクの場合）は、受信のためのアンテナ（例えば、ダウンリンクの場合）から独立して選択されうる。さらに、受信機（例えば、少なくとも１つのトランシーバチャネル９０２に対して受信パス４１００および４１０１の両方を含む）は、送信機（例えば、少なくとも１つのトランシーバチャネル９０２の送信パス４０８）と同じアンテナ、または、送信機とは異なるアンテナ上で動作するか、あるいは、両方のアンテナ上で動作して、エンハンスド受信ダイバーシティのために両方のアンテナ上で受信された信号を結合しうる。
【００６２】
交差スイッチ１１０２の構成の間でスイッチする際のあらゆるスイッチンググリッチを回避、あるいは少なくとも減らすために、信号のスイッチングは、デジタル化の後のベースバンドドメインにおいて２つの受信パス４１００および４１０１の間でも発生しうる。例えば、モデムソフトウェアまたはファームウェアは、メッセージが特定の受信パスから読み取られる前に特定の新たな選択受信パスが収束することを可能にし、この対応する追加の（ほぼ）同時のベースバンドスイッチングを処理しうる。収束する前に、メッセージは、以前の選択受信パスから読み取られうる。本明細書で使用される場合、収束することは、一般的に、定着するか、定常状態条件に到達したベースバンド処理ループ（例えば、チャネル推定ループ、時間追跡ループ、あるいは、周波数追跡ループ）を指す。
【００６３】
例として、図１２は、本開示の特定の態様に従い、アップリンクとダウンリンクとの独立アンテナ選択を備えた送信ダイバーシティと受信ダイバーシティとの組み合わせために交差スイッチ１１０２が加えられた図７のトランシーバ・アーキテクチャの２つの受信パスのブロック図１２００を示す。図１２の別の見解は、ブロック図１２００が、スイッチプレクサ９０４を除く図１１の単一のトランシーバチャネル９０２を示しているとみなすことである。
【００６４】
ＡＮＴ０を介して送信パス４０８から送信する間に、受信パス４１００がＡＮＴ０から信号を受信し、受信パス４１０１がＡＮＴ１から信号を受信しうるように、図１２に示される受信の前、交差スイッチ１１０２は並列構成であった。交差スイッチ１１０２が図１２に示されるような交差構成にスイッチされた後、ＡＮＴ０によって受信された信号は、受信フィルタ５０４にルーティングされ、ＬＮＡ ４１２１によって増幅され、局部発振器７１４１によって混合され、アンチエイリアスフィルタ７１６１によってフィルタリングされた後にＡＤＣ ７１８１によってデジタル化されうる。
【００６５】
受信パス４１０１のデジタルベースバンドドメイン内の残りのコンポーネントがまだ収束されていない可能性があるため、受信パス４１０１からのデジタル化信号は、デジタルフィルタ７２００および受信パス４１００の別のコンポーネントによって処理されうる。これらの別のコンポーネントは、補償ブロック１２０２０、および、ＡＧＣブロック７２２０と関連付けられた可変利得増幅器（ＶＧＡ）１２０４０を含みうる。補償ブロック１２０２は、ＣＯＲＤＩＣ（COordinate Rotation DIgital Computer）アルゴリズムを処理し、ＩＱ不均衡、ＤＣオフセットなどを調節しうる。ＶＧＡ １２０４０からの処理された結果は、受信パス４１０１の例示的なＲＡＭ １２０６１（あるいは、別のタイプのメモリバッファ）に記憶されうる。デジタルベースバンドドメイン内のコンポーネントがＡＮＴ０上で受信された信号のために受信パス４１０１において収束されると、デジタル化信号は、デジタルフィルタ７２０１、および、受信パス４１０１の別の後続のコンポーネントによって処理されうる。
【００６６】
上述されたように、このベースバンドスイッチングは、モデムファームウェアまたはソフトウェアによって制御されうる。ベースバンド内のスイッチンググリッチを処理することによって、本開示の特定の態様は、交差スイッチの構成が変わる際に、あるアンテナから別のアンテナへのシームレスな遷移を提供しうる。換言すると、受信信号の連続性は、受信パスが再度収束しなければならない場合に起こるであろう任意の性能損失のないことが保証されうる。
【００６７】
図１３は、送信ダイバーシティおよび受信ダイバーシティの両方をサポートするトランシーバにおいて送信機（ＴＸ）が受信機（Ｒｘ）から独立してアンテナ選択を実行できるようにするために、例えば、ユーザ端末１２０またはアクセスポイント１１０内のワイヤレストランシーバによって実行されうる例示的な動作１３００を示す。動作１３００は、１３０２において、送信パスと接続するために１または複数のアンテナの第１および第２のセットのうちの１つ目のセットを選択することによって開始しうる。ここにおいて、第１および第２のセットは、送信ダイバーシティおよび受信ダイバーシティの両方に対して選択可能である。１３０４において、トランシーバは、（アンテナスイッチ）送信ダイバーシティと受信ダイバーシティの両方に対して選択可能なアンテナの第１および第２のセットのうちの１つ目のセット内の少なくとも１つの第１のアンテナを介して第１の信号を送信しうる。
【００６８】
１３０６において、トランシーバは、アンテナの第１および第２のセットのうちの２つ目のセットを独立して選択し、アンテナの第１および第２のセットのうちのもう一方のセットは第２の受信パスに接続されうる。１３０８において、トランシーバは、アンテナのセットのうちの選択された２つ目のセット内の少なくとも１つの第２のアンテナを介して第１の受信パスで第２の信号を受信しうる。トランシーバは、１３１０において、アンテナのセットのうちのもう一方のセット内の少なくとも１つの第３のアンテナを介して第２の受信パスで第３の信号を受信しうる。
【００６９】
上述される様々な動作または方法が、対応する機能を実行することができる任意の適切な手段によって実行されうる。この手段は、回路、特定用途向け集積回路（ＡＳＩＣ）、あるいは、プロセッサを含むがそれに限定されない様々なハードウェアおよび／またはソフトウェアコンポーネントおよび／またはモジュールを含みうる。一般的に、動作が図に示される場合、これらの動作は、同様に番号付けされた、対応する手段プラス機能（means-plus-function）コンポーネントを有しうる。例えば、図１３のブロック１３０２〜１３１０は、図１３Ａに示されるブロック１３０２Ａ〜１３１０Ａに対応する。
【００７０】
本明細書で使用される場合、「決定すること（determining）」という用語は、多種多様な動作を包含する。例えば、「決定すること」は、算出すること（calculating）、計算すること（computing）、処理すること（processing）、導き出すこと（deriving）、調査すること（investigating）、ルックアップすること（looking up）（例えば、表、データベース、あるいは、別のデータ構造をルックアップすること）、確かめること（ascertaining）などを含みうる。さらに、「決定すること」は、受信すること（receiving）（例えば、情報を受信すること）、アクセスすること（accessing）（例えば、メモリ内のデータにアクセスすること）などを含みうる。さらに、「決定すること」は、解決すること（resolving）、選択すること（selecting）、選ぶこと（choosing）、確立すること（establishing）などを含みうる。
【００７１】
本明細書で使用される場合、「ＡまたはＢのうちの少なくとも１つ（at least one of A or B）」という表現は、ＡとＢのあらゆる組み合わせを含むことを意味する。換言すると、「ＡまたはＢのうちの少なくとも１つ」は、［Ａ］、［Ｂ］、［Ａ、Ｂ］を備える。
【００７２】
本開示と関連して記述される様々な実例となる論理ブロック、モジュール、回路は、汎用のプロセッサ、デジタル信号プロセッサ（ＤＳＰ）、特定用途向けＩＣ（ＡＳＩＣ）、書替え可能ゲートアレイ（ＦＰＧＡ）または他のプログラマブル論理デバイス（ＰＬＤ）、ディスクリートゲートまたはトランジスタ論理、ディスクリートハードウェアコンポーネント、もしくは、本明細書に記述された機能を実行するよう設計されたこれらの任意の組み合わせと一緒に実行または実施される。汎用プロセッサはマイクロプロセッサであるが、代替で、このプロセッサは、任意の公に入手可能なプロセッサ、コントローラ、マイクロコントローラ、またはステートマシンでありうる。プロセッサは、さらに、例えば、ＤＳＰとマクロプロセッサ、複数のマイクロプロセッサ、ＤＳＰコアに結合した１または複数のマイクロプロセッサ、あるいは、あらゆる別の上記構成の組み合わせといった計算デバイスの組み合わせとしても実施されうる。
【００７３】
本開示に関して記述された方法またはアルゴリズムのステップおよび／または動作は、直接的にハードウェアに、プロセッサによって実行されるソフトウェアモジュールに、または、それら二つの組み合わせに組み込まれうる。ソフトウェアモジュールは、当技術分野で知られている任意の形態の記憶媒体で存在しうる。使用されうる記憶媒体のいくつかの例は、ランダムアクセスメモリ（ＲＡＭ）、読み取り専用メモリ（ＲＯＭ）、フラッシュメモリ、ＥＰＲＯＭメモリ、ＥＥＰＲＯＭメモリ、レジスタ、ハードディスク、取り外し可能ディスク、ＣＤ−ＲＯＭなどを含む。ソフトウェアモジュールは、単一の命令または多数の命令を備え、異なるプログラムの中からいくつかの異なるコードセグメントにわたって、および、複数の記憶媒体にわたって分散されうる。記憶媒体は、プロセッサが記憶媒体から情報を読み取り、記憶媒体に情報を書き込むことができるようにプロセッサに結合される。代替において、記憶媒体はプロセッサに一体化されうる。
【００７４】
本明細書に開示される方法は、記述された方法を達成するための１または複数のステップまたは動作を備える。方法のステップおよび／または動作は、請求項の範囲を逸脱することなく互いに交換されうる。換言すると、ステップまたは動作の特定の順序が明記されていない限り、特定のステップおよび／または動作の順序および／または用途は、請求項の範囲を逸脱することなく変更されうる。
【００７５】
記述された機能は、ハードウェア、ソフトウェア、ファームウェア、あるいは、それらの任意の組み合わせで実施されうる。ソフトウェアに実施された場合、その機能はコンピュータ可読媒体上の１または複数の命令として記憶されうる。記憶媒体はコンピュータによりアクセスされることができる任意の利用可能な媒体である。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、もしくは、コンピュータによってアクセスされることができ、命令やデータ構造形で所望のプログラムコードを搬送または記憶するために使用される任意の別媒体を備えうる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。
【００７６】
このように、特定の態様は、本明細書に示された動作を実行するためのコンピュータプログラムプロダクトを備えうる。例えば、そのようなコンピュータプログラムプロダクトは、本明細書に記述された動作を実行するために１または複数のプロセッサによって実行可能な、記憶された（および／または符号化された）命令を有するコンピュータ可読媒体を備えうる。特定の態様について、コンピュータプログラムプロダクトは、パッケージングマテリアルを含みうる。
【００７７】
ソフトウェアまたは命令は、さらに、送信媒体を通して送信されうる。例えば、同軸ケーブル、光ファイバーケーブル、撚線対、デジタル加入者回線（ＤＳＬ）、または赤外線、無線、マイクロ波などのワイヤレステクノロジを使用してウェブサイト、サーバ、または、他のリモートソースからソフトウェアが送信されると、この同軸ケーブル、光ファイバーケーブル、撚線対、ＤＳＬ、または赤外線、無線、マイクロ派などのワイヤレステクノロジは送信媒体の定義に含まれる。
【００７８】
さらに、本明細書に記述された方法および技術を実行するためのモジュールおよび／または別の適切な手段が、適宜、ユーザ端末および／または基地局によってダウンロードされうること、および／または、そうでない場合は獲得されうることに認識されるべきである。例えば、そのようなデバイスは、本明細書に記述された方法を実行するための手段の移行を容易にするためにサーバに結合されうる。あるいは、ユーザ端末および／または基地局が、デバイスへの記憶手段を結合または提供することで様々な方法を獲得できるように、本明細書に記述された様々な方法が記憶手段（例えば、ＲＡＭ、ＲＯＭ、コンパクトディスク（ＣＤ）またはフロッピー（登録商標）ディスクのような物理記憶媒体など）を介して提供されうる。さらに、本明細書に記述された方法および技術をデバイスに提供するための任意の別の適切な技術が利用されうる。
【００７９】
請求項が、上に示された通り構成およびコンポーネントに限定されることは理解されるべきである。上に記述された方法および装置の配列、動作、および、細部に対して、様々な変更、変化、変形が、請求項の範囲を逸脱することなく行われうる。
【００８０】
本明細書に提供される技術は、様々なアプリケーションで利用されうる。特定の態様について、本明細書に提示される技術は、本明細書で提供された技術を実行するための処理論理およびエレメントと共に、アクセスポイント局、アクセス端末、モバイルハンドセット、あるいは、別のタイプのワイヤレスデバイスに組み込まれうる。
【００８１】
前述は本開示の態様に向けられているが、本開示の別の態様およびさらなる態様が、その基本的な範囲を逸脱することなく考案され、その範囲は、下の特許請求の範囲によって決定される。
【図１】
2013513345.tif 000003
【図２】
2013513345.tif 000004
【図３】
2013513345.tif 000005
【図３Ａ】
2013513345.tif 000006
【図４】
2013513345.tif 000007
【図５】
2013513345.tif 000008
【図６】
2013513345.tif 000009
【図７】
2013513345.tif 000010
【図８】
2013513345.tif 000011
【図９】
2013513345.tif 000012
【図１０】
2013513345.tif 000013
【図１１】
2013513345.tif 000014
【図１２】
2013513345.tif 000015
【図１３】
2013513345.tif 000016
【図１３Ａ】
2013513345.tif 000017
【国際調査報告】
2013513345.tif 000018
2013513345.tif 000019
2013513345.tif 000020
2013513345.tif 000021
2013513345.tif 000022